(57)【要約】【課題】汎用性および画像品質を向上する。【解決手段】プリパレーションパルスとして、被検体ＳＵにおいて静磁場方向ｚに向いたスピンをｙｚ面に沿ってフリップさせる第１ＲＦパルスＲＦ１と、その第１ＲＦパルスＲＦ１によってフリップされたスピンにおいて、停止状態であるスピンＳ１の位相と、移動状態であるスピンＳ２の位相とを互いにシフトさせる速度エンコード勾配パルスＧｖと、その速度エンコード勾配パルスＧｖによって位相がシフトされたスピンＳ１，Ｓ２をｙｚ面に沿ってフリップさせる第２ＲＦパルスＲＦ２とを順次送信する。その後、キラーパルスＧｋを送信し、第２ＲＦパルスＲＦ２によりフリップされたスピンの横磁化を消失させる。【選択図】図３
2007190362.tif 000002
【特許請求の範囲】
【請求項１】
静磁場空間において被検体にＲＦパルスを送信すると共に、前記ＲＦパルスが送信された前記被検体に勾配パルスを送信することによって、前記被検体において発生する磁気共鳴信号をイメージングデータとして得るイメージングシーケンスを実施し、前記イメージングシーケンスの実施によって得られた前記イメージングデータに基づいて、前記被検体の画像を生成する磁気共鳴イメージング装置であって、
前記イメージングシーケンスを実施すると共に、前記イメージングシーケンスの実施前に、前記被検体にプリパレーションパルスを送信するプリパレーションシーケンスを実施するスキャン部
を含み、
前記スキャン部は、前記プリパレーションパルスとして、
前記被検体において静磁場方向に向いたスピンを、前記静磁場方向と、前記静磁場方向に直交する第１方向とを含む第１の面に沿って、フリップさせる第１ＲＦパルスと、
前記第１ＲＦパルスによってフリップされた前記スピンにおいて、第１の速度のスピンの位相と、前記第１の速度と異なった第２の速度のスピンの位相とを互いにシフトさせる速度エンコード勾配パルスと、
前記速度エンコード勾配パルスによって位相がシフトされた前記スピンを前記第１の面に沿ってフリップさせる第２ＲＦパルスと
を、前記被検体に順次送信した後に、
前記第２ＲＦパルスによりフリップされた前記スピンの横磁化を消失させる勾配磁場を発生するキラーパルスを、さらに送信する
磁気共鳴イメージング装置。
【請求項２】
前記スキャン部は、前記プリパレーションパルスとして、前記第１ＲＦパルスを送信する前に、前記被検体において、スピンの横磁化を消失させる勾配磁場を発生するキラーパルスを送信する
請求項１に記載の磁気共鳴イメージング装置。
【請求項３】
前記スキャン部は、前記速度エンコード勾配パルスを送信する中心時点を軸にして時間軸において反対の極性になるように、前記速度エンコード勾配パルスを送信する
請求項１または２に記載の磁気共鳴イメージング装置。
【請求項４】
前記スキャン部は、前記第１ＲＦパルスと前記第２ＲＦパルスとを矩形パルスとして送信する
請求項１から３のいずれかに記載の磁気共鳴イメージング装置。
【請求項５】
前記スキャン部は、
４５°のフリップアングルに前記スピンをフリップさせるように前記第１ＲＦパルスを送信し、前記第１の速度のスピンの位相と、前記第２の速度のスピンの位相とを互いに１８０°の角度でシフトさせるように、前記速度エンコード勾配パルスを送信し、４５°のフリップアングルに前記スピンをフリップさせるように第２ＲＦパルスを送信する
請求項１から４のいずれかに記載の磁気共鳴イメージング装置。
【請求項６】
前記スキャン部は、前記第１ＲＦパルスを送信する時間の中心時点と前記速度エンコード勾配パルスを送信する時間の中心時点との間の第１の時間間隔と、前記速度エンコード勾配パルスを送信する時間の中心時点と前記第２ＲＦパルスを送信する時間の中心時点との間の第２の時間間隔とが同じになるように、前記スキャン部は、前記第１ＲＦパルスと前記速度エンコード勾配パルスと前記第２ＲＦパルスとを前記被検体に順次送信する
請求項１から５のいずれかに記載の磁気共鳴イメージング装置。
【請求項７】
前記スキャン部は、第１のフリップアングルに対応するように前記第１ＲＦパルスと前記第２ＲＦパルスとを送信すると共に、
前記第１のフリップアングルと異なった第２のフリップアングルで前記スピンをフリップさせる第３ＲＦパルスを、前記第１ＲＦパルスと前記第２ＲＦパルスとを送信する間に前記被検体に送信し、
前記第２のフリップアングルで前記スピンをフリップさせる第４ＲＦパルスを、前記第１ＲＦパルスと前記第２ＲＦパルスとを送信する間であって前記第３ＲＦパルスを送信した後に、前記被検体に送信する
請求項１から４のいずれかに記載の磁気共鳴イメージング装置。
【請求項８】
前記スキャン部は、前記第１ＲＦパルスを送信する時間の中心時点と前記速度エンコード勾配パルスを送信する時間の中心時点との間の第１の時間間隔と、前記速度エンコード勾配パルスを送信する時間の中心時点と前記第２ＲＦパルスを送信する時間の中心時点との間の第２の時間間隔とが同じになるように、前記スキャン部は、前記第１ＲＦパルスと前記速度エンコード勾配パルスと前記第２ＲＦパルスとを前記被検体に順次送信すると共に、前記第１の時間間隔内であって前記第１の時間間隔の中心時点に前記第３ＲＦパルスを送信する時間の中心時点が対応するように、前記第３ＲＦパルスを前記被検体に送信し、前記第２の時間間隔内であって前記第２の時間間隔の中心時点に前記第４ＲＦパルスを送信する時間の中心時点が対応するように、前記第４ＲＦパルスを前記被検体に送信する
請求項７に記載の磁気共鳴イメージング装置。
【請求項９】
前記スキャン部は、
前記静磁場の方向と、前記静磁場の方向および前記第１方向とに対して直交する第２方向とを含む第２の面に沿って、前記スピンがフリップするように前記第３ＲＦパルスを送信し、
前記第２の面に沿って前記スピンがフリップするように前記第４ＲＦパルスを送信する
請求項７または８に記載の磁気共鳴イメージング装置。
【請求項１０】
前記スキャン部は、前記第２のフリップアングルが１８０°になるように前記第３ＲＦパルスと前記第４ＲＦパルスとを送信する
請求項７から９のいずれかに記載の磁気共鳴イメージング装置。
【請求項１１】
前記スキャン部は、
４５°のフリップアングルに前記スピンをフリップさせるように前記第１ＲＦパルスをを送信し、前記第１の速度のスピンの位相と、前記第２の速度のスピンの位相とを互いに１８０°の角度でシフトさせるように、前記速度エンコード勾配パルスを送信し、４５°のフリップアングルに前記スピンをフリップさせるように第２ＲＦパルスを送信する
請求項１０に記載の磁気共鳴イメージング装置。
【請求項１２】
前記スキャン部は、
４５°のフリップアングルに前記スピンをフリップさせるように前記第１ＲＦパルスをを送信し、前記第１の速度のスピンの位相と、前記第２の速度のスピンの位相とを互いに１８０°の角度でシフトさせるように、前記速度エンコード勾配パルスを送信し、−４５°のフリップアングルに前記スピンをフリップさせるように第２ＲＦパルスを送信する
請求項１０に記載の磁気共鳴イメージング装置。
【請求項１３】
前記スキャン部は、
９０°のフリップアングルに前記スピンをフリップさせるように前記第１ＲＦパルスをを送信し、前記第１の速度のスピンの位相と、前記第２の速度のスピンの位相とを互いに１８０°の角度でシフトさせるように、前記速度エンコード勾配パルスを送信し、９０°のフリップアングルに前記スピンをフリップさせるように第２ＲＦパルスを送信する
請求項１０に記載の磁気共鳴イメージング装置。
【請求項１４】
前記スキャン部は、前記第１ＲＦパルスを送信する時間の中心時点と前記速度エンコード勾配パルスを送信する時間の中心時点との間の第１の時間間隔と、前記速度エンコード勾配パルスを送信する時間の中心時点と前記第２ＲＦパルスを送信する時間の中心時点との間の第２の時間間隔とが同じになるように、前記スキャン部は、前記第１ＲＦパルスと前記速度エンコード勾配パルスと前記第２ＲＦパルスとを前記被検体に順次送信すると共に、
前記速度エンコード勾配パルスとして、第１の速度エンコード勾配パルスと、前記第１の速度エンコード勾配パルスに対して時間軸において反対の極性である第２の速度エンコード勾配パルスとを、前記第１の時間間隔内に順次送信すると共に、第３の速度エンコード勾配パルスと、前記第３の速度エンコード勾配パルスに対して反対の極性である第４の速度エンコード勾配パルスとを、前記第２の時間間隔内に順次送信する
請求項１０に記載の磁気共鳴イメージング装置。
【請求項１５】
前記スキャン部は、前記第１の速度エンコード勾配パルスと、前記第２の速度エンコード勾配パルスとを、前記第１の時間間隔内であって、当該第１の速度エンコード勾配パルスを送信する時間の中心時点と、当該第２の速度エンコード勾配パルスを送信する時間の中心時点とが前記第１の時間間隔の中心時点を時間軸において対称に挟むように、順次送信すると共に、
前記第３の速度エンコード勾配パルスと、前記第４の速度エンコード勾配パルスとを、前記第２の時間間隔内であって、当該第３の速度エンコード勾配パルスを送信する時間の中心時点と、当該第４の速度エンコード勾配パルスを送信する時間の中心時点とが前記第２の時間間隔の中心時点を時間軸において対称に挟むように、順次送信する
請求項１４に記載の磁気共鳴イメージング装置。
【請求項１６】
前記スキャン部は、前記プリパレーションパルスとして、
前記スピンを前記第１の面に沿ってフリップさせる第５ＲＦパルスを、前記第２の速度エンコード勾配パルスを送信した後および前記第３の速度エンコード勾配パルスを送信する前であって、前記第３ＲＦパルスを送信する時間の中心時点と前記第４ＲＦパルスを送信する時間の中心時点との間の第３の時間間隔内において、前記第３の時間間隔の中心時点に当該第５ＲＦパルスを送信する時間の中心時点が対応するように、前記被検体に送信する
請求項１４または１５に記載の磁気共鳴イメージング装置。
【請求項１７】
前記スキャン部は、
前記第３ＲＦパルスとして、１８０°のフリップアングルでスピンをフリップさせる複数のＲＦパルスを、前記第１の時間間隔内であって前記第１の時間間隔の中心時点を挟んで時間軸において対称になるように、前記被検体に順次送信し、
前記第４ＲＦパルスとして、１８０°のフリップアングルでスピンをフリップさせる複数のＲＦパルスを、前記第２の時間間隔内であって前記第２の時間間隔の中心時点を挟んで時間軸において対称になるように、前記被検体に順次送信する
請求項１０に記載の磁気共鳴イメージング装置。
【請求項１８】
前記スキャン部は、
前記速度エンコード勾配パルスとして、第１の速度エンコード勾配パルスと、前記第１の速度エンコード勾配パルスに対して時間軸において反対の極性である第２の速度エンコード勾配パルスとを、前記第３ＲＦパルスとして送信されるＲＦパルスのそれぞれを送信する時間の中心時点を挟むように順次送信し、
第３の速度エンコード勾配パルスと、前記第３の速度エンコード勾配パルスに対して時間軸において反対の極性である第４の速度エンコード勾配パルスとを、前記第４ＲＦパルスとして送信されるＲＦパルスのそれぞれを送信する時間の中心時点を挟むように順次送信する
請求項１７に記載の磁気共鳴イメージング装置。
【請求項１９】
前記スキャン部は、
前記第１の速度エンコード勾配パルスと前記第２の速度エンコード勾配パルスとを、前記第３ＲＦパルスとして送信されるＲＦパルスのそれぞれを送信する時間の中心時点を挟んで時間軸において対称になるように、順次送信し、
前記第３の速度エンコード勾配パルスと前記第４の速度エンコード勾配パルスとを、前記第４ＲＦパルスとして送信されるＲＦパルスのそれぞれを送信する時間の中心時点を挟んで時間軸において対称になるように、順次送信する
請求項１８に記載の磁気共鳴イメージング装置。
【請求項２０】
前記スキャン部は、前記プリパレーションパルスとして、
前記スピンを前記第１の面に沿ってフリップさせる第６ＲＦパルスを、前記第３ＲＦパルスとして順次送信される一対のＲＦパルスの間であって、当該一対のＲＦパルスを送信する時間の中心時点に、当該第６ＲＦパルスを送信する時間の中心時点が対応するように、前記被検体に送信すると共に、
前記スピンを前記第１の面に沿ってフリップさせる第７ＲＦパルスを、前記第４ＲＦパルスとして順次送信される一対のＲＦパルスの間であって、当該一対のＲＦパルスを送信する時間の中心時点に、当該第７ＲＦパルスを送信する時間の中心時点が対応するように、前記被検体に送信する
請求項１７から１９のいずれかに記載の磁気共鳴イメージング装置。
【請求項２１】
前記スキャン部は、
前記第３ＲＦパルスとして、１８０°のフリップアングルでスピンをフリップさせる複数のＲＦパルスを、前記第１の時間間隔内であって前記第１の時間間隔の中心時点を挟んで時間軸において対称になるように、前記被検体に順次送信し、
前記第４ＲＦパルスとして、−１８０°のフリップアングルでスピンをフリップさせる複数のＲＦパルスを、前記第２の時間間隔内であって前記第２の時間間隔の中心時点を挟んで時間軸において対称になるように、前記被検体に順次送信する
請求項１０に記載の磁気共鳴イメージング装置。
【請求項２２】
前記スキャン部は、
前記第３ＲＦパルスと前記第４ＲＦパルスとを送信した後に、前記速度エンコード勾配パルスを前記被検体に送信する
請求項２１に記載の磁気共鳴イメージング装置。
【請求項２３】
前記スキャン部は、スライス選択方向と、位相エンコード方向と、周波数エンコード方向との少なくとも一つに前記速度エンコード勾配パルスを送信する
請求項１から２２のいずれかに記載の磁気共鳴イメージング装置。
【請求項２４】
前記スキャン部は、前記イメージングシーケンスとして、前記被検体においてスピンの縦磁化と横磁化とが定常状態になるような繰り返し時間で前記ＲＦパルスを前記被検体に送信すると共に、前記ＲＦパルスにより励起された前記被検体のスライスを選択するスライス選択勾配パルスと、前記ＲＦパルスにより励起された前記スライスにおいて発生する磁気共鳴信号を位相エンコードする位相エンコード勾配パルスと、前記ＲＦパルスにより励起された前記スライスにおいて発生する磁気共鳴信号を周波数エンコードする周波数エンコード勾配パルスとを、前記繰り返し時間内における時間積分値がゼロになるように、前記勾配パルスとして前記被検体に印加する
請求項１から２３のいずれかに記載の磁気共鳴イメージング装置。
【請求項２５】
前記イメージングデータに基づいて、前記被検体の画像を生成する画像生成部と、
前記画像生成部により生成された前記画像を表示する表示部と
を有する
請求項１から２４のいずれかに記載の磁気共鳴イメージング装置。
【請求項２６】
前記スキャン部は、前記第１の速度がゼロであるスピンの位相と、前記第２の速度で移動するスピンの位相とを互いにシフトさせるように、前記速度エンコード勾配パルスを送信する
請求項１から２５のいずれかに記載の磁気共鳴イメージング装置。
【請求項２７】
前記スキャン部は、前記被検体の心拍運動において心収縮期に前記プリパレーションシーケンスを実施し、前記心拍運動において心拡張期に前記イメージングシーケンスを実施する
請求項１から２６のいずれかに記載の磁気共鳴イメージング装置。
【請求項２８】
静磁場空間において被検体にＲＦパルスを送信することによって前記被検体において発生する磁気共鳴信号をイメージングデータとして得るイメージングシーケンスを実施し、前記イメージングシーケンスの実施によって得られた前記イメージングデータに基づいて、前記被検体の画像を生成する磁気共鳴イメージング装置であって、
前記イメージングシーケンスを実施する共に、前記被検体において流れる流体の速度に応じて前記イメージングデータの信号強度を変化させるように、プリパレーションパルスを送信するプリパレーションシーケンスを前記イメージングシーケンスの実施前に実施するスキャン部
を含み、
前記スキャン部は、前記被検体の心拍運動において心収縮期に前記プリパレーションシーケンスを実施し、前記心拍運動において心拡張期に前記イメージングシーケンスを実施する
磁気共鳴イメージング装置。
【発明の詳細な説明】
【技術分野】
【０００１】
本発明は、磁気共鳴イメージング装置に関し、静磁場空間において被検体にＲＦパルスを送信すると共に、そのＲＦパルスが送信された被検体に勾配パルスを送信することによって発生する磁気共鳴信号をイメージングデータとして得るイメージングシーケンスを実施し、そのイメージングシーケンスの実施によって得られたイメージングデータに基づいて、被検体の画像を生成する磁気共鳴イメージング装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置は、医療用途、産業用途などのさまざまな分野において利用されている。
【０００３】
磁気共鳴イメージング装置は、静磁場空間内の被検体に電磁波を照射することにより、その被検体内のプロトンのスピンを核磁気共鳴（ＮＭＲ：Ｎｕｃｌｅａｒ  Ｍａｇｎｅｔｉｃ  Ｒｅｓｏｎａｎｃｅ）現象によって励起させ、その励起されたスピンにより発生する磁気共鳴（ＭＲ）信号を得るスキャンを実施する。そして、そのスキャンにより得られた磁気共鳴信号をローデータ（Ｒａｗ  Ｄａｔａ）とし、被検体についての画像を生成する。
【０００４】
たとえば、磁気共鳴イメージング装置は、ＭＲＡ（ＭＲ  ａｎｇｉｏｇｒａｐｈｙ）と呼ばれる血管撮影が実施されている。ＭＲＡにおいて造影剤を使用しないイメージング方法として、ＦＢＩ（Ｆｒｅｓｈ  Ｂｌｏｏｄ  Ｉｍａｇｉｎｇ）が知られている（たとえば、特許文献１参照）。その他に、タイム・オブ・フライト（ＴＯＦ：Ｔｉｍｅ  ｏｆ  Ｆｌｉｇｈｔ）効果や、位相コントラスト（ＰＣ：Ｐｈａｓｅ  Ｃｏｎｔｒａｓｔ）効果などを利用したイメージング法がある。
【０００５】
【特許文献１】特開２０００−５１４４号公報
【発明の開示】
【発明が解決しようとする課題】
【０００６】
ＦＢＩ法においては、心拡張期と心収縮期とのそれぞれにおいてイメージング領域についての画像を生成する。そして、これらの画像間の差分値に基づいて、そのイメージング領域に関するＭＲＡ画像を得る。ここでは、心収縮期においては動脈の血流速度が速いために動脈からの信号強度が低くなり、心拡張期においては動脈の血流速度が遅いために動脈からの信号強度が高くなるため、上記のように差分値に基づいて生成されたＭＲＡ画像は、コントラストが高くなる。
【０００７】
しかしながら、ＦＢＩ法においては、複数のタイミングで複数の画像を撮影し、その差分値を用いてＭＲＡ画像を生成するために、撮影の際に被検体が体動した場合には体動アーチファクトが顕著に発生すると共に、位相エンコード方向にＴ２減衰によって画像にボケが発生する場合があり、画像品質を向上することが困難な場合があった。
【０００８】
また、その他のイメージング方法においては、上記不具合に加え、イメージング領域が限定されるなど、汎用性が低かった。
【０００９】
特に、被検体の体幹部や下腿部などにおいては、動脈と静脈とがほぼ並行していることと、動脈と静脈とのＴ１値とＴ２値とが近いこととに起因して、上記の不具合が顕在化する場合があった。
【００１０】
したがって、本発明の目的は、汎用性が高く、画像品質を向上可能な磁気共鳴イメージング装置を提供することにある。
【課題を解決するための手段】
【００１１】
上記目的の達成のために本発明の磁気共鳴イメージング装置は、静磁場空間において被検体にＲＦパルスを送信すると共に、前記ＲＦパルスが送信された前記被検体に勾配パルスを送信することによって、前記被検体において発生する磁気共鳴信号をイメージングデータとして得るイメージングシーケンスを実施し、前記イメージングシーケンスの実施によって得られた前記イメージングデータに基づいて、前記被検体の画像を生成する磁気共鳴イメージング装置であって、前記イメージングシーケンスを実施すると共に、前記イメージングシーケンスの実施前に、前記被検体にプリパレーションパルスを送信するプリパレーションシーケンスを実施するスキャン部を含み、前記スキャン部は、前記プリパレーションパルスとして、前記被検体において静磁場方向に向いたスピンを、前記静磁場方向と、前記静磁場方向に直交する第１方向とを含む第１の面に沿って、フリップさせる第１ＲＦパルスと、前記第１ＲＦパルスによってフリップされた前記スピンにおいて、第１の速度のスピンの位相と、前記第１の速度と異なった第２の速度のスピンの位相とを互いにシフトさせる速度エンコード勾配パルスと、前記速度エンコード勾配パルスによって位相がシフトされた前記スピンを前記第１の面に沿ってフリップさせる第２ＲＦパルスとを、前記被検体に順次送信した後に、前記第２ＲＦパルスによりフリップされた前記スピンの横磁化を消失させる勾配磁場を発生するキラーパルスを、さらに送信する。
【００１２】
上記目的の達成のために本発明の磁気共鳴イメージング装置は、静磁場空間において被検体にＲＦパルスを送信することによって前記被検体において発生する磁気共鳴信号をイメージングデータとして得るイメージングシーケンスを実施し、前記イメージングシーケンスの実施によって得られた前記イメージングデータに基づいて、前記被検体の画像を生成する磁気共鳴イメージング装置であって、前記イメージングシーケンスを実施する共に、前記被検体において流れる流体の速度に応じて前記イメージングデータの信号強度を変化させるように、プリパレーションパルスを送信するプリパレーションシーケンスを前記イメージングシーケンスの実施前に実施するスキャン部を含み、前記スキャン部は、前記被検体の心拍運動において心収縮期に前記プリパレーションシーケンスを実施し、前記心拍運動において心拡張期に前記イメージングシーケンスを実施する。
【発明の効果】
【００１３】
本発明によれば、汎用性が高く、画像品質を向上可能な磁気共鳴イメージング装置を提供することができる。
【発明を実施するための最良の形態】
【００１４】
＜実施形態１＞
本発明にかかる実施形態１について説明する。
【００１５】
（装置構成）
図１は、本発明にかかる実施形態１において、磁気共鳴イメージング装置１の構成を示す構成図である。
【００１６】
図１に示すように、本実施形態の磁気共鳴イメージング装置１は、スキャン部２と、操作コンソール部３とを有する。
【００１７】
スキャン部２について説明する。
【００１８】
スキャン部２は、図１に示すように、静磁場マグネット部１２と、勾配コイル部１３と、ＲＦコイル部１４と、クレードル１５と、ＲＦ駆動部２２と、勾配駆動部２３と、データ収集部２４とを有している。スキャン部２は、静磁場が形成された撮像空間Ｂ内において、被検体ＳＵのスピンを励起するように被検体ＳＵにＲＦパルスを送信すると共に、そのＲＦパルスが送信された被検体ＳＵに勾配パルスを送信することによって、被検体ＳＵにおいて発生する磁気共鳴信号をイメージングデータとして得るイメージングシーケンスＩＳを実施する。そして、スキャン部２は、イメージングシーケンスＩＳを実施すると共に、このイメージングシーケンスＩＳの実施前に、被検体ＳＵにプリパレーションパルスを送信するプリパレーションシーケンスＰＳを実施する。
【００１９】
詳細については後述するが、スキャン部２は、このプリパレーションシーケンスＰＳにおけるプリパレーションパルスとして、被検体ＳＵにおいて静磁場方向ｚに向いたスピンを、その静磁場方向ｚと、その静磁場方向ｚに直交するｙ方向とを含むｙｚ面に沿ってフリップさせる第１ＲＦパルスと、その第１ＲＦパルスによってフリップされたスピンにおいて、第１の速度のスピンの位相と、その第１の速度と異なった第２の速度のスピンの位相とを互いにシフトさせる速度エンコード勾配パルスと、その速度エンコード勾配パルスによって位相がシフトされたスピンを、ｙｚ面に沿ってフリップさせる第２ＲＦパルスとを、順次送信する。ここでは、第１ＲＦパルスを送信する時間の中心時点と速度エンコード勾配パルスを送信する時間の中心時点との間の第１の時間間隔と、速度エンコード勾配パルスを送信する時間の中心時点と第２ＲＦパルスを送信する時間の中心時点との間の第２の時間間隔とが同じになるように、被検体ＳＵに順次送信する。そして、さらに、第２ＲＦパルスによりフリップされたスピンの横磁化を消失させる勾配磁場を発生するキラーパルスを、さらに送信する。すなわち、本実施形態のプリパレーションシーケンスにおいては、イメージングシーケンスＩＳにて得られるイメージングデータの信号強度を、被検体において流れる流体の速度に応じて変化させるように、プリパレーションパルスを送信する。
【００２０】
その後、スキャン部２は、ＦＩＥＳＴＡ，Ｔｒｕｅ  ＦＩＳＰ，Ｂａｌａｎｃｅｄ  ＴＦＥなどと呼称されるＳＳＦＰ（Ｓｔｅａｄｙ  Ｓｔａｔｅ  Ｆｒｅｅ  Ｐｒｅｃｅｓｓｉｏｎ）型のイメージング方法で、イメージングシーケンスＩＳを実行する。具体的には、スキャン部２は、イメージングシーケンスＩＳとして、被検体ＳＵにおいてスピンの縦磁化と横磁化とが定常状態になるような繰り返し時間ＴＲでＲＦパルスを被検体ＳＵに送信する。そして、これと共に、そのＲＦパルスにより励起された被検体ＳＵのスライスをイメージング領域として選択するスライス選択勾配パルスと、そのＲＦパルスにより励起されたスライスにおいて発生する磁気共鳴信号を周波数エンコードする周波数エンコード勾配パルスと、そのＲＦパルスにより励起されたスライスにおいて発生する磁気共鳴信号を位相エンコードする位相エンコード勾配パルスとを、勾配パルスとして被検体ＳＵに繰り返し時間ＴＲ内に送信する。ここでは、繰り返し時間ＴＲ内における時間積分値がゼロになるように、スライス選択勾配パルスと位相エンコード勾配パルスと周波数エンコード勾配パルスとのそれぞれを、被検体ＳＵに送信する。
【００２１】
スキャン部２の各構成要素について、順次、説明する。
【００２２】
静磁場マグネット部１２は、たとえば、一対の永久磁石により構成されており、被検体ＳＵが収容される撮像空間Ｂに静磁場を形成する。ここでは、静磁場マグネット部１２は、被検体ＳＵの体軸方向に対して垂直な方向ｚに静磁場方向が沿うように静磁場を形成する。なお、静磁場マグネット部１２は、超伝導磁石により構成されていてもよい。
【００２３】
勾配コイル部１３は、静磁場が形成された撮像空間Ｂに勾配磁場を形成し、ＲＦコイル部１４が受信する磁気共鳴信号に空間位置情報を付加する。ここでは、勾配コイル部１３は、静磁場方向に沿ったｚ方向と、ｘ方向と、ｙ方向との互いに直交する３軸方向に対応するように３系統からなる。これらは、撮像条件に応じて、周波数エンコード方向と位相エンコード方向とスライス選択方向として、それぞれに勾配パルスを送信することによって勾配磁場を形成する。具体的には、勾配コイル部１３は、被検体ＳＵのスライス選択方向に勾配磁場を印加し、ＲＦコイル部１４がＲＦパルスを送信することによって励起させる被検体ＳＵのスライスを選択する。また、勾配コイル１３は、被検体ＳＵの位相エンコード方向に勾配磁場を印加し、ＲＦパルスにより励起されたスライスからの磁気共鳴信号を位相エンコードする。そして、勾配コイル部１３は、被検体ＳＵの周波数エンコード方向に勾配磁場を印加し、ＲＦパルスにより励起されたスライスからの磁気共鳴信号を周波数エンコードする。
【００２４】
ＲＦコイル部１４は、図１に示すように、被検体ＳＵのイメージング領域を囲むように配置される。ＲＦコイル部１４は、静磁場マグネット部１２によって静磁場が形成される撮像空間Ｂ内において、電磁波であるＲＦパルスを被検体ＳＵに送信して高周波磁場を形成し、被検体ＳＵのイメージング領域におけるプロトンのスピンを励起する。そして、ＲＦコイル部１４は、その励起された被検体ＳＵ内のプロトンから発生する電磁波を磁気共鳴信号として受信する。
【００２５】
クレードル１５は、被検体ＳＵを載置する台を有する。クレードル部２６は、制御部３０からの制御信号に基づいて、撮像空間Ｂの内部と外部との間を移動する。
【００２６】
ＲＦ駆動部２２は、ＲＦコイル部１４を駆動させて撮像空間Ｂ内にＲＦパルスを送信させて高周波磁場を形成する。ＲＦ駆動部２２は、制御部３０からの制御信号に基づいて、ゲート変調器を用いてＲＦ発振器からの信号を所定のタイミングおよび所定の包絡線の信号に変調した後に、そのゲート変調器により変調された信号を、ＲＦ電力増幅器によって増幅してＲＦコイル部１４に出力し、ＲＦパルスを送信させる。
【００２７】
勾配駆動部２３は、制御部３０からの制御信号に基づいて、勾配パルスを勾配コイル部１３に印加して駆動させ、静磁場が形成されている撮像空間Ｂ内に勾配磁場を発生させる。勾配駆動部２３は、３系統の勾配コイル部１３に対応して３系統の駆動回路（図示なし）を有する。
【００２８】
データ収集部２４は、制御部３０からの制御信号に基づいて、ＲＦコイル部１４が受信する磁気共鳴信号を収集する。ここでは、データ収集部２４は、ＲＦコイル部１４が受信する磁気共鳴信号をＲＦ駆動部２２のＲＦ発振器の出力を参照信号として位相検波器が位相検波する。その後、Ａ／Ｄ変換器を用いて、このアナログ信号である磁気共鳴信号をデジタル信号に変換して出力する。
【００２９】
操作コンソール部３について説明する。
【００３０】
操作コンソール部３は、図１に示すように、制御部３０と、画像生成部３１と、操作部３２と、表示部３３と、記憶部３４とを有する。
【００３１】
操作コンソール部３の各構成要素について、順次、説明する。
【００３２】
制御部３０は、コンピュータと、コンピュータに所定のデータ処理を実行させるプログラムとを有しており、各部を制御する。ここでは、制御部３０は、操作部３２からの操作データが入力され、その操作部３２から入力される操作データに基づいて、ＲＦ駆動部２２と勾配駆動部２３とデータ収集部２４とのそれぞれに、所定のスキャンを実行させる制御信号を出力し制御を行う。そして、これと共に、画像生成部３１と表示部３３と記憶部３４とへ、制御信号を出力し制御を行う。
【００３３】
画像生成部３１は、コンピュータと、そのコンピュータを用いて所定のデータ処理を実行するプログラムとを有しており、制御部３０からの制御信号に基づいて、画像を生成する。ここでは、画像生成部３１は、スキャン部２がスキャンを実行することによって得られた磁気共鳴信号をローデータとし、被検体ＳＵについての画像を再構成する。そして、画像生成部３１は、その生成した画像を表示部３３に出力する。
【００３４】
操作部３２は、キーボードやポインティングデバイスなどの操作デバイスにより構成されている。操作部３２は、オペレータによって操作データが入力され、その操作データを制御部３０に出力する。
【００３５】
表示部３３は、ＣＲＴなどの表示デバイスにより構成されており、制御部３０からの制御信号に基づいて、表示画面に画像を表示する。たとえば、表示部３３は、オペレータによって操作部３２に操作データが入力される入力項目についての画像を表示画面に複数表示する。また、表示部３３は、被検体ＳＵからの磁気共鳴信号に基づいて生成される被検体ＳＵの画像についてのデータを画像生成部３１から受け、表示画面にその画像を表示する。
【００３６】
記憶部３４は、メモリにより構成されており、各種データを記憶している。記憶部３４は、その記憶されたデータが必要に応じて制御部３０によってアクセスされる。
【００３７】
（動作）
以下より、上記の本発明にかかる実施形態の磁気共鳴イメージング装置１を用いて、被検体ＳＵを撮像する際の動作について説明する。
【００３８】
図２は、本発明にかかる実施形態１において、被検体ＳＵを撮像する際の動作を示すフロー図である。
【００３９】
まず、図２に示すように、プリパレーションシーケンスＰＳの実施を行う（Ｓ１１）。
【００４０】
ここでは、プリパレーションシーケンスＰＳをスキャン部２が実施する。
【００４１】
図３は、本発明にかかる実施形態１において、プリパレーションシーケンスＰＳを示すパルスシーケンス図である。
【００４２】
図３において、ＲＦは、ＲＦパルスを送信する時間軸であり、Ｇｖｅｎｃは、速度エンコード勾配パルスを送信する時間軸であり、Ｇｋｉｌｌは、キラーパルスを送信する時間軸を示しており、それぞれは、横軸が時間ｔであって、縦軸がパルス強度を示している。ここでは、ＧｖｅｎｃとＧｋｉｌｌとは、勾配パルスを送信する時間軸であって、スライス選択方向，位相エンコード方向，周波数エンコード方向の少なくとも１つの時間軸である。
【００４３】
また、図４は、本発明にかかる実施形態１において、プリパレーションシーケンスＰＳが実施された際に、被検体ＳＵのスピンの挙動を示すベクトル図である。
【００４４】
図４において、（Ａ１），（Ａ２），（Ａ３），（Ａ４），（Ａ５）は、被検体ＳＵにおいて、第１の速度Ｖ１のスピンＳ１についての挙動を、順次、時系列順に示す図である。ここでは、第１の速度Ｖ１がゼロであって、静止状態のスピンＳ１についての挙動を示している。一方、図４において、（Ｂ１），（Ｂ２），（Ｂ３），（Ｂ４），（Ｂ５）は、被検体ＳＵにおいて、第１の速度Ｖ１より高速な第２の速度Ｖ２で移動するスピンＳ２についての挙動を、順次、時系列順に示す図である。
【００４５】
また、図４において、（Ａ１）および（Ｂ１）は、図３に示すパルスシーケンス図において第１時点ｔ１１の際に、各スピンＳ１，Ｓ２が示す状態を示している。また、（Ａ２）および（Ｂ２）は、図３に示すパルスシーケンス図において第２時点ｔ１２の際に、各スピンＳ１，Ｓ２が示す状態を示している。また、（Ａ３）および（Ｂ３）は、図３に示すパルスシーケンス図において第３時点ｔ１３の際に、各スピンＳ１，Ｓ２が示す状態を示している。また、（Ａ４）および（Ｂ４）は、図３に示すパルスシーケンス図において第４時点ｔ１４の際に、各スピンＳ１，Ｓ２が示す状態を示している。また、（Ａ５）および（Ｂ５）は、図３に示すパルスシーケンス図において第５時点ｔ１５の際に、各スピンＳ１，Ｓ２が示す状態を示している。
【００４６】
図３に示すように、プリパレーションシーケンスＰＳを実行する際においては、プリパレーションパルスとして、第１ＲＦパルスＲＦ１と、速度エンコード勾配パルスＧｖと、第２ＲＦパルスＲＦ２と、キラーパルスＧｋとを、スキャン部２が被検体ＳＵに順次送信する。
【００４７】
ここでは、図３に示すように、第１ＲＦパルスＲＦ１を送信する時間の中心時点ｔｒ１と速度エンコード勾配パルスＧｖを送信する時間の中心時点ｔｖとの間の第１の時間間隔τ１と、速度エンコード勾配パルスＧｖを送信する時間の中心時点ｔｖと第２ＲＦパルスＲＦ２を送信する時間の中心時点ｔｒ２との間の第２の時間間隔τ２とが同じになるように、第１ＲＦパルスＲＦ１と、速度エンコード勾配パルスＧｖと、第２ＲＦパルスＲＦ２とを、被検体ＳＵに順次送信する。つまり、第１ＲＦパルスＲＦ１と第２ＲＦパルスＲＦ２とを送信する間において、速度エンコード勾配パルスＧｖを送信する。そして、その後に、キラーパルスＧｋをさらに送信する。
【００４８】
プリパレーションシーケンスＰＳにおける各プリパレーションパルスについて、順次、説明する。
【００４９】
まず、図３に示すように、第１ＲＦパルスＲＦ１を被検体ＳＵに送信する。
【００５０】
ここでは、図３に示すように、第１時点ｔ１１から第２時点ｔ１２までの間に、矩形パルスである第１ＲＦパルスＲＦ１をスキャン部２が送信する。本実施形態においては、図４（Ａ１）と図４（Ｂ１）とに示すように、被検体ＳＵにおいて静磁場方向ｚに磁化ベクトルが向いており、互いに速度が異なるプロトンのスピンＳ１，Ｓ２に、スキャン部２が第１ＲＦパルスＲＦ１を送信する。そして、図４（Ａ２）と図４（Ｂ２）とに示すように、このスピンＳ１，Ｓ２の磁化ベクトルを、ｙｚ面に沿うようにフリップさせる。
【００５１】
具体的には、図４（Ａ１）と図４（Ｂ１）とに示すように、縦磁化がＭ０であり、横磁化がゼロであるスピンＳ１，Ｓ２に、フリップアングルが４５°であって位相がｘ方向である第１ＲＦパルスＲＦ１を送信し、図４（Ａ２）と図４（Ｂ２）とに示すように、スピンＳ１，Ｓ２による磁化ベクトルを、ｙｚ面において、０°方向から４５°方向へ傾ける。
【００５２】
つぎに、図３に示すように、速度エンコード勾配パルスＧｖを被検体ＳＵに送信する。
【００５３】
ここでは、図３に示すように、第２時点ｔ１２から第３時点ｔ１３までの間に、スキャン部２が、速度エンコード勾配パルスＧｖを送信する。本実施形態においては、スキャン部２は、速度エンコード勾配パルスＧｖを送信する中心時点ｔｖを軸にして時間軸において互いに反対の極性であって同じ時間積分値のバイポーラパルス（Ｂｉｐｏｌａｒ  ｐｕｌｓｅ）として、この速度エンコード勾配パルスＧｖを送信する。そして、図４（Ａ３）と図４（Ｂ３）とに示すように、第１ＲＦパルスＲＦ１によってフリップされたスピンＳ１，Ｓ２において、第１の速度Ｖ１のスピンＳ１の位相と、その第１の速度Ｖ１より高速な第２の速度Ｖ２のスピンＳ２の位相とを、互いにシフトさせる。
【００５４】
具体的には、図４（Ａ３）と図４（Ｂ３）とに示すように、第１の速度Ｖ１がゼロであって静止状態であるプロトンのスピンＳ１の位相と、その第１の速度Ｖ１より高速な第２の速度Ｖ２で移動する移動状態のプロトンのスピンＳ２の位相とを、互いに１８０°シフトさせるように、速度エンコード勾配パルスＧｖを送信する。つまり、静止状態のプロトンのスピンＳ１に関しては、図４（Ａ３）に示すように、速度エンコード勾配パルスＧｖの送信によってスピンＳ１の磁化ベクトルの方向を変化させない。一方、移動状態のプロトンのスピンＳ２に関しては、図４（Ｂ３）に示すように、速度エンコード勾配パルスＧｖの送信によって、スピンＳ２の磁化ベクトルを、ｘｙ平面に沿って１８０°の角度で回転させ、ｙｚ平面における４５°方向から−４５°方向へ向くように変化させる。
【００５５】
つぎに、図３に示すように、第２ＲＦパルスＲＦ２を被検体ＳＵに送信する。
【００５６】
ここでは、図３に示すように、第３時点ｔ１３から第４時点ｔ１４までの間に、スキャン部２が、矩形パルスである第２ＲＦパルスＲＦ２を送信する。そして、図４（Ａ４）と図４（Ｂ４）とに示すように、速度エンコード勾配パルスＧｖによって位相がシフトされたスピンＳ１，Ｓ２をｙｚ面に沿ってフリップさせる。
【００５７】
具体的には、フリップアングルが４５°であって位相がｘ方向である第２ＲＦパルスＲＦ２を送信し、静止状態のスピンＳ１の磁化ベクトルを、図４（Ａ４）に示すように、ｙｚ面における４５°方向から９０°方向へ傾けると共に、移動状態のスピンＳ２の磁化ベクトルを、図４（Ｂ４）に示すように、ｙｚ面における−４５°方向から０°方向へ傾ける。
【００５８】
なお、速度エンコード勾配パルスＧｖが位相をシフトする角度がθである場合には、縦磁化Ｍｚと横磁化Ｍｘｙは、以下の数式（１）と数式（２）で示される。
【００５９】
【数１】
2007190362.tif 000003
【００６０】
【数２】
2007190362.tif 000004
【００６１】
つぎに、図３に示すように、キラーパルスＧｋを被検体ＳＵに送信する。
【００６２】
ここでは、図３に示すように、第４時点ｔ１４から第５時点ｔ１５までの間に、スキャン部２が、キラーパルスＧｋを送信する。そして、図４（Ａ５）と図４（Ｂ５）とに示すように、第２ＲＦパルスＲＦ２によりフリップされたスピンＳ１，Ｓ２の横磁化を消失させる。
【００６３】
つまり、図４（Ａ５）に示すように、ｙｚ面において９０°方向に向いた静止状態のスピンＳ１の磁化ベクトルを、キラーパルスＧｋを送信することにより、位相を分散させて消滅させる。
【００６４】
つぎに、図２に示すように、イメージングシーケンスＩＳの実施を行う（Ｓ２１）。
【００６５】
ここでは、ＳＳＦＰ型のイメージング方法で、スキャン部２がイメージングシーケンスＩＳを実行する。
【００６６】
図５は、本発明にかかる実施形態１において実施するイメージングシーケンスＩＳを示すパルスシーケンス図である。
【００６７】
図５において、ＲＦは、ＲＦパルスを送信する時間軸であり、Ｇｓｌｉｃｅは、スライス選択エンコード方向に勾配パルスを送信する時間軸であり、Ｇｒｅａｄは、リードアウト方向に勾配パルスを送信する時間軸を示しており、Ｇｗａｒｐは、位相エンコード方向に勾配パルスを送信する時間軸を示しており、それぞれは、横軸が時間ｔであり、縦軸がパルス強度を示している。
【００６８】
図５に示すように、イメージングシーケンスＩＳを実施する際においては、ＲＦパルスＲＦを被検体ＳＵに繰返し送信する。ここでは、被検体ＳＵにおいてスピンの縦磁化と横磁化とが定常状態になるような繰り返し時間ＴＲで、スキャン部２が各ＲＦパルスＲＦを被検体ＳＵに送信する。
【００６９】
そして、これと共に、そのＲＦパルスＲＦにより励起された被検体ＳＵのスライスをイメージング領域として選択するスライス選択勾配パルスＧｓと、そのＲＦパルスにより励起されたスライスにおいて発生する磁気共鳴信号を位相エンコードする位相エンコード勾配パルスＧｒと、そのＲＦパルスにより励起されたスライスにおいて発生する磁気共鳴信号を周波数エンコードする周波数エンコード勾配パルスとを、繰り返し時間ＴＲ内に勾配パルスとして被検体ＳＵに送信する。ここでは、繰り返し時間ＴＲ内における時間積分値がゼロになるように、スライス選択勾配パルスと位相エンコード勾配パルスと周波数エンコード勾配パルスとを、被検体ＳＵに送信する。つまり、図５に示すように、磁気共鳴信号をイメージングデータとして収集後に、繰返し時間ＴＲ内において横磁化をリワインドし、勾配磁場によりエンコードされた位相をリセットする。
【００７０】
つぎに、図２に示すように、ｋ空間に対応する全てのイメージングデータを収集したか否かを判断する（Ｓ２２）。
【００７１】
ここでは、ｋ空間に対応する全てのイメージングデータを収集したか否かを、制御部３０が判断する。
【００７２】
そして、ｋ空間に対応する全てのイメージングデータを収集していない場合（Ｎｏ）には、図２に示すように、プリパレーションシーケンスＰＳの実施（Ｓ１１）と、イメージングシーケンスＩＳの実施（Ｓ２１）とを、再度、順次実施する。つまり、プリパレーションシーケンスＰＳの実施（Ｓ１１）と、イメージングシーケンスＩＳの実施（Ｓ２１）とを繰返し実施することにより、ｋ空間の全てを埋めるまでイメージングデータを収集する。
【００７３】
一方、ｋ空間に対応するように全てのイメージングデータを収集した場合（Ｙｅｓ）には、図２に示すように、画像の生成を行う（Ｓ３１）。
【００７４】
ここでは、スキャン部２がイメージングシーケンスＩＳを実行することによって得られたイメージングデータをローデータとし、画像生成部３１が被検体ＳＵについての画像を再構成する。
【００７５】
本実施形態においては、上記のように、移動状態のスピンが大きな縦磁化を有し、静止状態のスピンの縦磁化との差が大きいため、移動状態のスピンが強調された画像が生成される。
【００７６】
つぎに、図２に示すように、画像の表示を行う（Ｓ４１）。
【００７７】
ここでは、被検体ＳＵの画像についてのデータを表示部３３が画像生成部３１から受け、表示画面にその画像を表示する。
【００７８】
以上のように、本実施意形態においては、イメージングシーケンスＩＳをスキャン部２が実施すると共に、そのイメージングシーケンスＩＳの実施前に、被検体ＳＵにプリパレーションパルスを送信するプリパレーションシーケンスをスキャン部２が実施する。スキャン部２は、このプリパレーションパルスとして、被検体ＳＵにおいて静磁場方向ｚに向いたスピンをｙｚ面に沿ってフリップさせる第１ＲＦパルスＲＦ１と、その第１ＲＦパルスＲＦ１によってフリップされたスピンにおいて、停止状態であるスピンＳ１の位相と、移動状態であるスピンＳ２の位相とを互いにシフトさせる速度エンコード勾配パルスＧｖと、その速度エンコード勾配パルスＧｖによって位相がシフトされたスピンＳ１，Ｓ２をｙｚ面に沿ってフリップさせる第２ＲＦパルスＲＦ２とを、順次、被検体ＳＵに送信する。ここでは、第１ＲＦパルスＲＦ１を送信する時間の中心時点ｔｒ１と速度エンコード勾配パルスＧｖを送信する時間の中心時点ｔｖとの間の第１の時間間隔τ１と、速度エンコード勾配パルスＧｖを送信する時間の中心時点ｔｖと第２ＲＦパルスＲＦ２を送信する時間の中心時点ｔｒ２との間の第２の時間間隔τ２とが同じになるように、第１ＲＦパルスＲＦ１と、速度エンコード勾配パルスＧｖと、第２ＲＦパルスＲＦ２とを、被検体ＳＵに順次送信する。そして、その後に、キラーパルスＧｋをさらに送信し、第２ＲＦパルスＲＦ２によりフリップされたスピンの横磁化を消失させる。
【００７９】
このため、本実施形態は、上述したように、被検体ＳＵにおいて所定の移動速度で移動する部分が強調された画像を得ることができる。また、プリパレーションパルスの印加時間が短いために、さまざまな用途に利用可能である。たとえば、腹大動脈、総腸骨動脈、大腿動脈などの流速が早い動脈からの磁気共鳴信号を、静脈、脳脊髄液、尿などに比べて高い信号強度で得ることができるため、移動速度に応じて高いコントラストの画像を得ることができる。
【００８０】
また、本実施形態においては、ＦＩＥＳＴＡなどと呼称されるＳＳＦＰ型のイメージング方法で、スキャン部２がイメージングシーケンスＩＳを実行するため、ＳＮ比が高く、Ｔ２／Ｔ１比が小さな組織から高い信号強度の信号を得ることができるため、移動速度に応じて高いコントラストの画像を得ることができる。また、この場合においては、静脈、脳脊髄液、尿などにおいても高い信号強度が得られる場合が多いが、本実施形態のプリパレーションパルスを送信することにより、動脈などの流速が早い動脈についての画像を高いコントラストで得ることができる。
【００８１】
したがって、本実施形態は、造影剤を使用せずに、汎用性を向上させることが可能であると共に、画像品質を向上することができる。
【００８２】
＜実施形態２＞
以下より、本発明にかかる実施形態２について説明する。
【００８３】
本実施形態は、被検体ＳＵを撮像する際に実施されるプリパレーションシーケンスが次実施形態１（図３）と異なる。本実施形態は、いわゆるＣＰＭＧ（Ｃａｒｒ−Ｐｕｒｃｅｌｌ−Ｍｅｉｂｏｏｎ−Ｇｉｌｌ）法をベースにするプリパレーションシーケンスであり、この点を除き、実施形態１と同様である。このため、重複する箇所については説明を省略する。
【００８４】
図６は、本発明にかかる実施形態２において、プリパレーションシーケンスＰＳを示すパルスシーケンス図である。
【００８５】
図６において、ＲＦは、ＲＦパルスを送信する時間軸であり、Ｇｖｅｎｃは、速度エンコード勾配パルスを送信する時間軸であり、Ｇｋｉｌｌは、キラーパルスを送信する時間軸を示しており、それぞれは、横軸が時間ｔであって、縦軸がパルス強度を示している。ここでは、ＧｖｅｎｃとＧｋｉｌｌとは、勾配パルスを送信する時間軸であって、スライス選択方向，位相エンコード方向，周波数エンコード方向の少なくとも１つの時間軸である。
【００８６】
また、図７は、本発明にかかる実施形態２において、プリパレーションシーケンスＰＳが実施された際に、被検体ＳＵのスピンの挙動を示すベクトル図である。同様に、図８は、本発明にかかる実施形態２において、プリパレーションシーケンスＰＳが実施された際に、被検体ＳＵのスピンの挙動を示すベクトル図であり、図７の次に示されるベクトル図である。
【００８７】
図７と図８とにおいて、（Ａ１），（Ａ２），（Ａ３），（Ａ４），（Ａ５），（Ａ６），（Ａ７），（Ａ８），（Ａ９）は、被検体ＳＵにおいて、第１の速度Ｖ１のスピンＳ１についての挙動を、順次、時系列順に示す図である。ここでは、第１の速度Ｖ１がゼロであって、静止状態のスピンＳ１についての挙動を示している。一方、図７と図８とにおいて、（Ｂ１），（Ｂ２），（Ｂ３），（Ｂ４），（Ｂ５），（Ｂ６），（Ｂ７），（Ｂ８）、（Ｂ９）は、被検体ＳＵにおいて、第１の速度Ｖ１より高速な第２の速度Ｖ２のスピンＳ２についての挙動を、順次、時系列順に示す図である。
【００８８】
また、図７において、（Ａ１）および（Ｂ１）は、図６に示すパルスシーケンス図において第１時点ｔ２１の際に、各スピンＳ１，Ｓ２が示す状態を示している。また、図７において、（Ａ２）および（Ｂ２）は、図６に示すパルスシーケンス図において第２時点ｔ２２の際に、各スピンＳ１，Ｓ２が示す状態を示している。また、図７において、（Ａ３）および（Ｂ３）は、図６に示すパルスシーケンス図において第３時点ｔ２３の際に、各スピンＳ１，Ｓ２が示す状態を示している。また、図７において、（Ａ４）および（Ｂ４）は、図６に示すパルスシーケンス図において第４時点ｔ２４の際に、各スピンＳ１，Ｓ２が示す状態を示している。また、図７において、（Ａ５）および（Ｂ５）は、図６に示すパルスシーケンス図において第５時点ｔ２５の際に、各スピンＳ１，Ｓ２が示す状態を示している。また、図８において、（Ａ６）および（Ｂ６）は、図６に示すパルスシーケンス図において第６時点ｔ２６の際に、各スピンＳ１，Ｓ２が示す状態を示している。また、図８において、（Ａ７）および（Ｂ７）は、図６に示すパルスシーケンス図において第７時点ｔ２７の際に、各スピンＳ１，Ｓ２が示す状態を示している。また、図８において、（Ａ８）および（Ｂ８）は、図６に示すパルスシーケンス図において第８時点ｔ２８の際に、各スピンＳ１，Ｓ２が示す状態を示している。また、図８において、（Ａ９）および（Ｂ９）は、図６に示すパルスシーケンス図において第９時点ｔ２９の際に、各スピンＳ１，Ｓ２が示す状態を示している。
【００８９】
図６に示すように、プリパレーションシーケンスＰＳを実行する際においては、実施形態１と同様に、プリパレーションパルスとして、第１ＲＦパルスＲＦ１と、速度エンコード勾配パルスＧｖと、第２ＲＦパルスＲＦ２と、キラーパルスＧｋとを、スキャン部２が被検体ＳＵに順次送信する。ここでは、図６に示すように、実施形態１と同様に、第１ＲＦパルスＲＦ１を送信する時間の中心時点ｔｒ１と速度エンコード勾配パルスＧｖを送信する時間の中心時点ｔｖとの間の第１の時間間隔τ１と、速度エンコード勾配パルスＧｖを送信する時間の中心時点ｔｖと第２ＲＦパルスＲＦ２を送信する時間の中心時点ｔｒ２との間の第２の時間間隔τ２とが同じになるように、第１ＲＦパルスＲＦ１と、速度エンコード勾配パルスＧｖと、第２ＲＦパルスＲＦ２とを、被検体ＳＵに順次送信する。そして、その後に、キラーパルスＧｋをさらに送信する。本実施形態においても実施形態１と同様に、フリップアングルが４５°になるように、この第１ＲＦパルスＲＦ１と第２ＲＦパルスＲＦ２とをスキャン部２が送信する。
【００９０】
そして、これらとは別に、本実施形態においては、図６に示すように、第１ＲＦパルスＲＦ１と第２ＲＦパルスＲＦ２とがスピンをフリップさせるフリップアングルと異なったフリップアングルで、スピンをフリップさせる第３ＲＦパルスＲＦ３を送信する。ここでは、第１ＲＦパルスＲＦ１を送信する時間の中心時点ｔｒ１と速度エンコード勾配パルスＧｖを送信する時間の中心時点ｔｖとの間の第１の時間間隔τ１内であって、その第１の時間間隔τ１の中心時点τｃ１に、この第３ＲＦパルスＲＦ３を送信する時間の中心時点ｔｒ３が対応するように、スキャン部２が被検体ＳＵに送信する。
【００９１】
本実施形態においては、スキャン部２は、静磁場方向ｚと、静磁場方向ｚおよびｙ方向とに対して直交するｘ方向とを含むｘｚ面に沿って、１８０°のフリップアングルでスピンをフリップするように、第３ＲＦパルスＲＦ３を送信する。
【００９２】
そして、さらに、図６に示すように、第３ＲＦパルスＲＦ３がスピンをフリップさせるフリップアングルと同じフリップアングルで、スピンをフリップさせる第４ＲＦパルスＲＦ４を送信する。ここでは、速度エンコード勾配パルスＧｖを送信する時間の中心時点ｔｖと第２ＲＦパルスＲＦ２を送信する時間の中心時点ｔｒ２との間の第２の時間間隔τ２内であって、その第２の時間間隔τ２の中心時点τｃ２に、この第４ＲＦパルスＲＦ４を送信する時間の中心時点ｔｒ４が対応するように、スキャン部２が被検体ＳＵに送信する。
【００９３】
本実施形態においては、スキャン部２は、第３ＲＦパルスＲＦ３と同様に、ｘｚ面に沿って１８０°のフリップアングルでスピンをフリップするように、第４ＲＦパルスＲＦ４を送信する。
【００９４】
このように、第３ＲＦパルスＲＦ３を送信する時間の中心時点ｔｒ３と、第４ＲＦパルスＲＦ４を送信する時間の中心時点ｔｒ４とが、速度エンコード勾配パルスＧｖを送信する時間の中心時点ｔｖを軸にして、時間軸方向において前後に対称になるように、第３ＲＦパルスＲＦ３と第４ＲＦパルスＲＦ４とを送信する。
【００９５】
各プリパレーションパルスについて順次説明する。
【００９６】
まず、図６に示すように、第１ＲＦパルスＲＦ１を被検体ＳＵに送信する。
【００９７】
ここでは、図６に示すように、第１時点ｔ２１から第２時点ｔ２２までの間に、実施形態１と同様に、矩形パルスである第１ＲＦパルスＲＦ１をスキャン部２が送信する。本実施形態においては、図７（Ａ１）と図７（Ｂ１）とに示すように、被検体ＳＵにおいて静磁場方向ｚに磁化ベクトルが向いたプロトンのスピンＳ１，Ｓ２に、スキャン部２が第１ＲＦパルスＲＦ１を送信する。そして、図７（Ａ２）と図７（Ｂ２）とに示すように、スピンＳ１，Ｓ２の磁化ベクトルを、ｙｚ面に沿うようにフリップさせる。
【００９８】
具体的には、図７（Ａ１）と図７（Ｂ１）とに示すように、縦磁化がＭ０であり、横磁化がゼロであるスピンＳ１，Ｓ２に、フリップアングルが４５°であって位相がｘ方向である第１ＲＦパルスＲＦ１を送信し、図７（Ａ２）と図７（Ｂ２）とに示すように、スピンＳ１，Ｓ２による磁化ベクトルを、ｙｚ面における０°方向から４５°方向へ傾ける。
【００９９】
つぎに、図６に示すように、第３ＲＦパルスＲＦ３を被検体ＳＵに送信する。
【０１００】
ここでは、図６に示すように、第３時点ｔ２３から第４時点ｔ２４までの間に、矩形パルスである第３ＲＦパルスＲＦ３を、フリップアングルが１８０°であって、位相がｙ方向になるように、スキャン部２が送信する。
【０１０１】
具体的には、図７（Ａ３）と図７（Ｂ３）とに示すように、たとえば、静磁場不均一によってｙｚ面から９０°反転し、ｘｚ面において磁化ベクトルが４５°方向に傾いたスピンＳ１，Ｓ２へ、スキャン部２が第３ＲＦパルスＲＦ３を送信し、図７（Ａ４）と図７（Ｂ４）とに示すように、スピンＳ１，Ｓ２の磁化ベクトルをｘｚ面において２２５°傾くように、１８０°のフリップアングルでフリップさせる。
【０１０２】
つぎに、図６に示すように、速度エンコード勾配パルスＧｖを被検体ＳＵに送信する。
【０１０３】
ここでは、図６に示すように、第４時点ｔ２４から第５時点ｔ２５までの間に、実施形態１と同様にして、スキャン部２が速度エンコード勾配パルスＧｖを送信する。そして、図７（Ａ５）と図７（Ｂ５）とに示すように、第１の速度Ｖ１のスピンＳ１の位相と、その第１の速度Ｖ１より高速な第２の速度Ｖ２のスピンＳ２の位相とを、互いにシフトさせる。
【０１０４】
具体的には、図７（Ａ５）と図７（Ｂ５）とに示すように、第１の速度Ｖ１がゼロであって静止状態であるプロトンのスピンＳ１の位相と、その第１の速度Ｖ１より高速な第２の速度Ｖ２で移動する移動状態のプロトンのスピンＳ２の位相とを、互いに１８０°シフトさせるように、速度エンコード勾配パルスＧｖを送信する。つまり、静止状態のプロトンのスピンＳ１に関しては、図７（Ａ５）に示すように、速度エンコード勾配パルスＧｖの送信によって、スピンＳ１の磁化ベクトルは、静磁場不均一によって１８０°回転し、ｙｚ平面における２２５°方向から１３５°方向へ向くように変化させる。一方で、移動状態のプロトンのスピンＳ２に関しては、図７（Ｂ５）に示すように、速度エンコード勾配パルスＧｖの送信によって１８０°回転するが、静磁場不均一により、さらに１８０°回転して、合計で３６０°回転するために、元の位置に戻ることとなる。
【０１０５】
つぎに、図６に示すように、第４ＲＦパルスＲＦ４を被検体ＳＵに送信する。
【０１０６】
ここでは、図６に示すように、第５時点ｔ２５から第６時点ｔ２６までの間に、矩形パルスである第４ＲＦパルスＲＦ４を、フリップアングルが１８０°であって、位相がｙ方向になるように、スキャン部２が送信する。
【０１０７】
具体的には、図８（Ａ６）と図８（Ｂ６）とに示すように、スキャン部２が第４ＲＦパルスＲＦ４を送信し、各スピンＳ１，Ｓ２の磁化ベクトルをｘｚ面において１８０°のフリップアングルでフリップさせる。
【０１０８】
つぎに、図６に示すように、第２ＲＦパルスＲＦ２を被検体ＳＵに送信する。
【０１０９】
ここでは、図６に示すように、第７時点ｔ２７から第８時点ｔ２８までの間に、スキャン部２が、矩形パルスである第２ＲＦパルスＲＦ２を送信する。
【０１１０】
具体的には、図８（Ａ７）と図８（Ｂ７）に示すように、静磁場不均一によってｘｚ面からｙｚ面へ磁化ベクトルが９０°反転したスピンＳ１，Ｓ２へ、スキャン部２が第２ＲＦパルスＲＦ２を送信し、図８（Ａ８）と図８（Ｂ８）とに示すように、スピンＳ１，Ｓ２の磁化ベクトルをｙｚ面において４５°のフリップアングルでフリップさせる。
【０１１１】
つぎに、図６に示すように、キラーパルスＧｋを被検体ＳＵに送信する。
【０１１２】
ここでは、図６に示すように、第８時点ｔ２８から第９時点ｔ２９までの間に、スキャン部２が、キラーパルスＧｋを送信する。そして、図８（Ａ９）と図８（Ｂ９）とに示すように、第２ＲＦパルスＲＦ２によりフリップされたスピンＳ１，Ｓ２の横磁化を消失させる。
【０１１３】
つまり、図８（Ａ９）に示すように、ｙｚ面において９０°方向に向いた静止状態のスピンＳ１の磁化ベクトルを、キラーパルスＧｋを送信することにより、位相を分散させて消滅させる。
【０１１４】
以上のように、本実施意形態において、プリパレーションシーケンスＰＳを実施する際には、実施形態１でのプリパレーションパルスに加えて、１８０°のフリップアングルでスピンをフリップさせる第３ＲＦパルスＲＦ３と第４ＲＦパルスとを送信する。ここでは、第１ＲＦパルスＲＦ１を送信する時間の中心時点ｔｒ１と速度エンコード勾配パルスＧｖを送信する時間の中心時点ｔｖとの間の第１の時間間隔τ１内であって、その第１の時間間隔τ１の中心時点τｃ１に、この第３ＲＦパルスＲＦ３を送信する時間の中心時点ｔｒ３が対応するように、スキャン部２が第３ＲＦパルスを被検体ＳＵに送信する。また、速度エンコード勾配パルスＧｖを送信する時間の中心時点ｔｖと第２ＲＦパルスＲＦ２を送信する時間の中心時点ｔｒ２との間の第２の時間間隔τ２内であって、その第２の時間間隔τ２の中心時点τｃ２に、この第４ＲＦパルスＲＦ４を送信する時間の中心時点ｔｒ４が対応するように、スキャン部２が第４ＲＦパルスＲＦ４を被検体ＳＵに送信する。
【０１１５】
このため、上述した図７と図８とに示すように、プリパレーションシーケンスＰＳの実施の際に、静磁場不均一によって位相シフトされた静止状態のスピンＳ１は、１８０°のフリップアングルでスピンをフリップさせる第３ＲＦパルスＲＦ３と第４ＲＦパルスとが送信された後の第７時点ｔ２７（ｃｆ．図８（Ａ８））においてｙ方向へ戻り、静磁場不均一による影響がキャンセルされる。
【０１１６】
したがって、本実施形態は、実施形態１と同様に、被検体ＳＵにおいて所定の移動速度で移動する部分が強調された画像を得ることができると共に、静磁場不均一の影響をキャンセル可能であるため、画像品質を向上できる。
【０１１７】
＜実施形態３＞
以下より、本発明にかかる実施形態３について説明する。
【０１１８】
図９は、本発明にかかる実施形態３において、プリパレーションシーケンスＰＳを示すパルスシーケンス図である。
【０１１９】
図９において、ＲＦは、ＲＦパルスを送信する時間軸であり、Ｇｖｅｎｃは、速度エンコード勾配パルスを送信する時間軸であり、Ｇｋｉｌｌは、キラーパルスを送信する時間軸を示しており、それぞれは、横軸が時間ｔであって、縦軸がパルス強度を示している。ここでは、ＧｖｅｎｃとＧｋｉｌｌとは、勾配パルスを送信する時間軸であって、スライス選択方向，位相エンコード方向，周波数エンコード方向の少なくとも１つの時間軸である。
【０１２０】
本実施形態は、被検体ＳＵを撮像する際に実施されるプリパレーションシーケンスＰＳが実施形態２（図６）と異なる。本実施形態は、この点を除き、実施形態２と同様である。このため、重複する箇所については説明を省略する。
【０１２１】
本実施形態においては、図９に示すように、スキャン部２は、プリパレーションパルスとして、実施形態２のプリパレーションパルスに加えて、第１ＲＦパルスＲＦ１を送信する前に、被検体ＳＵにおいてスピンの横磁化を消失させる勾配磁場を発生するキラーパルスＧｋｐを送信する。
【０１２２】
このため、本実施形態は、第１ＲＦパルスＲＦ１を送信する前においてスピンの横磁化が消失しているため、実施形態２の効果に加え、さらに、画像品質を向上できる。
【０１２３】
＜実施形態４＞
以下より、本発明にかかる実施形態４について説明する。
【０１２４】
図１０は、本発明にかかる実施形態４において、プリパレーションシーケンスＰＳを示すパルスシーケンス図である。
【０１２５】
図１０において、ＲＦは、ＲＦパルスを送信する時間軸であり、Ｇｖｅｎｃは、速度エンコード勾配パルスを送信する時間軸であり、Ｇｋｉｌｌは、キラーパルスを送信する時間軸を示しており、それぞれは、横軸が時間ｔであって、縦軸がパルス強度を示している。ここでは、ＧｖｅｎｃとＧｋｉｌｌとは、勾配パルスを送信する時間軸であって、スライス選択方向，位相エンコード方向，周波数エンコード方向の少なくとも１つの時間軸である。
【０１２６】
本実施形態は、被検体ＳＵを撮像する際に実施されるプリパレーションシーケンスＰＳが実施形態３（図９）と異なる。本実施形態は、この点を除き、実施形態３と同様である。このため、重複する箇所については説明を省略する。
【０１２７】
本実施形態においては、図１０に示すように、スキャン部２は、プリパレーションパルスとして、実施形態３のプリパレーションパルスにおいて第２ＲＦパルスＲＦ２を、−４５°のフリップアングルにスピンをフリップするように送信する。
【０１２８】
このため、本実施形態においては、静止状態のスピンについては高い信号強度を得ることができ、一方、移動状態のスピンについては低い信号強度にすることができるために、実施形態３と同様に、静止状態の部分と移動状態との部分との間にて高いコントラストの画像を得ることができる。
【０１２９】
＜実施形態５＞
以下より、本発明にかかる実施形態５について説明する。
【０１３０】
図１１は、本発明にかかる実施形態５において、プリパレーションシーケンスＰＳを示すパルスシーケンス図である。
【０１３１】
図１１において、ＲＦは、ＲＦパルスを送信する時間軸であり、Ｇｖｅｎｃは、速度エンコード勾配パルスを送信する時間軸であり、Ｇｋｉｌｌは、キラーパルスを送信する時間軸を示しており、それぞれは、横軸が時間ｔであって、縦軸がパルス強度を示している。ここでは、ＧｖｅｎｃとＧｋｉｌｌとは、勾配パルスを送信する時間軸であって、スライス選択方向，位相エンコード方向，周波数エンコード方向の少なくとも１つの時間軸である。
【０１３２】
本実施形態は、被検体ＳＵを撮像する際に実施されるプリパレーションシーケンスＰＳが実施形態３（図９）と異なる。本実施形態は、この点を除き、実施形態３と同様である。このため、重複する箇所については説明を省略する。
【０１３３】
本実施形態においては、図１１に示すように、スキャン部２は、プリパレーションパルスとして、実施形態３のプリパレーションパルスにおいて、第１ＲＦパルスＲＦ１と第２ＲＦパルスＲＦ２とを、９０°のフリップアングルにスピンをフリップするように送信する。
【０１３４】
このため、本実施形態においては、静止状態のスピンの縦磁化を負に反転し、一方、移動状態のスピンについては縦磁化を正に反転することができるために、実施形態３と同様に、静止状態の部分と移動状態との部分との間にて高いコントラストの画像を得ることができる。
【０１３５】
＜実施形態６＞
以下より、本発明にかかる実施形態６について説明する。
【０１３６】
図１２は、本発明にかかる実施形態６において、プリパレーションシーケンスＰＳを示すパルスシーケンス図である。
【０１３７】
図１２において、ＲＦは、ＲＦパルスを送信する時間軸であり、Ｇｖｅｎｃは、速度エンコード勾配パルスを送信する時間軸であり、Ｇｋｉｌｌは、キラーパルスを送信する時間軸を示しており、それぞれは、横軸が時間ｔであって、縦軸がパルス強度を示している。ここでは、ＧｖｅｎｃとＧｋｉｌｌとは、勾配パルスを送信する時間軸であって、スライス選択方向，位相エンコード方向，周波数エンコード方向の少なくとも１つの時間軸である。
【０１３８】
本実施形態は、被検体ＳＵを撮像する際に実施されるプリパレーションシーケンスＰＳが実施形態３（図９）と異なる。本実施形態は、この点を除き、実施形態３と同様である。このため、重複する箇所については説明を省略する。
【０１３９】
本実施形態においては、図１２に示すように、スキャン部２は、第１ＲＦパルスＲＦ１と第２ＲＦパルスＲＦ２とを、フリップアングルが２２．５°であって、位相がｘ方向になるように送信する。つまり、スピンがｙｚ平面に沿って２２．５°のフリップアングルでフリップするように、スキャン部２が第１ＲＦパルスＲＦ１と第２ＲＦパルスＲＦ２とを被検体ＳＵに送信する。
【０１４０】
そして、図１２に示すように、スキャン部２は、速度エンコード勾配パルスＧｖとして、第１の速度エンコード勾配パルスＧｖ１と、その第１の速度エンコード勾配パルスＧｖ１に対して時間軸において反対の極性である第２の速度エンコード勾配パルスＧｖ２とを、第１の時間間隔τ１内であって、当該第１の速度エンコード勾配パルスＧｖ１を送信する時間の中心時点ｔｖ１と、当該第２の速度エンコード勾配パルスＧｖ２を送信する時間の中心時点ｔｖ２とが、第１の時間間隔τ１の中心時点τｃ１を時間軸において対称に挟むように、順次送信する。そして、これと共に、第３の速度エンコード勾配パルスＧｖ３と、その第３の速度エンコード勾配パルスＧｖ３に対して反対の極性である第４の速度エンコード勾配パルスＧｖ４とを、第２の時間間隔τ２内であって、当該第３の速度エンコード勾配パルスＧｖ３を送信する時間の中心時点ｔｖ３と、当該第４の速度エンコード勾配パルスＧｖ４を送信する時間の中心時点ｔｖ４とが、第２の時間間隔τ２の中心時点τｃ２を時間軸において対称に挟むように、順次送信する。
【０１４１】
つまり、第１の速度エンコード勾配パルスＧｖ１と、第２の速度エンコード勾配パルスＧｖ２と、第３の速度エンコード勾配パルスＧｖ３と、第３の速度エンコード勾配パルスＧｖ４とを送信する時間の中心時点ｔｖに対して、第１の速度エンコード勾配パルスＧｖ１と、第２の速度エンコード勾配パルスＧｖ２と、第３の速度エンコード勾配パルスＧｖ３と、第３の速度エンコード勾配パルスＧｖ４とのそれぞれを送信する時間の中心時点ｔｖ１，ｔｖ２，ｔｖ３，ｔｖ４が、時間軸において対称に並ぶように、スキャン部２が送信する。
【０１４２】
その他に、図１２に示すように、スキャン部２は、プリパレーションパルスとして、フリップアングルが−４５°であって位相がｘ方向の第５ＲＦパルスＲＦ５を送信する。つまり、スピンをｙｚ面に沿って−４５°のフリップアングルでフリップさせるように、スキャン部２が第５ＲＦパルスＲＦ５を送信する。ここでは、第２の速度エンコード勾配パルスＧｖ２を送信した後および第３の速度エンコード勾配パルスＧｖ３を送信する前であって、第３ＲＦパルスＲＦ３を送信する時間の中心時点ｔｒ３と第４ＲＦパルスＲＦ４を送信する時間の中心時点ｔｒ４との間の第３の時間間隔内τ３において、その第３の時間間隔τ３の中心時点τｃ３に当該第５ＲＦパルスＲＦ５を送信する時間の中心時点ｔｒ５が対応するように、スキャン部２が第５ＲＦパルスＲＦ５を被検体ＳＵに送信する。すなわち、フリップアングルが１８０°である２つのＲＦパルスが送信される時間の中心時点に対応するように、別途、ＲＦパルスを送信する。
【０１４３】
以上のように、本実施形態は、フリップアングルが１８０°の第３ＲＦパルスと第４ＲＦパルスとのそれぞれを挟むように、第１の速度エンコード勾配パルスＧｖ１および第２の速度エンコード勾配パルスＧｖ２と、第３の速度エンコード勾配パルスＧｖ３および第４の速度エンコード勾配パルスＧｖ４とのそれぞれを送信することにより、画像品質を向上できる。また、図６に示すように前述の実施形態においては、大きな面積の速度エンコード勾配パルスが必要であるが、１８０°ＲＦパルスの送信前後に速度エンコード勾配パルスをそれぞれ送信することによって各速度エンコード勾配パルスの面積（時間積分値）を小さくできるために、本実施形態においては、プリパレーションシーケンスを実施する時間を短縮化できる。
【０１４４】
また、本実施形態は、フリップアングルが１８０°の第３ＲＦパルスと第４ＲＦパルスとのそれぞれに挟まれるように、第５ＲＦパルスＲＦ５を送信することにより、画像品質を向上できる。そして、これにより、多方向に同時に各速度エンコード勾配パルスを送信することができ、また、信号強度式を式（１）から異なる形に変えることができる。
【０１４５】
＜実施形態７＞
以下より、本発明にかかる実施形態７について説明する。
【０１４６】
図１３は、本発明にかかる実施形態７において、プリパレーションシーケンスＰＳを示すパルスシーケンス図である。
【０１４７】
図１３において、ＲＦは、ＲＦパルスを送信する時間軸であり、Ｇｒｅａｄは、被検体ＳＵにおいて周波数エンコード方向に送信する勾配パルスの時間軸であり、Ｇｗａｒｐは、被検体ＳＵにおいて位相エンコード方向に送信する勾配パルスの時間軸であり、Ｇｓｌｉｃｅは、被検体ＳＵにおいてスライス選択方向に送信する勾配パルスの時間軸であり、それぞれは、横軸が時間ｔであり、縦軸がパルス強度を示している。
【０１４８】
本実施形態は、被検体ＳＵを撮像する際に実施されるプリパレーションシーケンスＰＳが実施形態６（図１２）と異なる。本実施形態は、この点を除き、実施形態６と同様である。このため、重複する箇所については説明を省略する。
【０１４９】
本実施形態においては、図１３に示すように、スキャン部２は、第１ＲＦパルスＲＦ１と第２ＲＦパルスＲＦ２とを、フリップアングルが５．６°であって、位相がｘ方向になるように送信する。そして、図１３に示すように、スキャン部２は、第５ＲＦパルスＲＦ５を、フリップアングルが３３．８°であって、位相がｘ方向になるように送信する。つまり、スピンがｙｚ平面に沿って５．６°のフリップアングルでフリップするように、スキャン部２が第１ＲＦパルスＲＦ１と第２ＲＦパルスＲＦ２とを被検体ＳＵに送信すると共に、スピンがｙｚ平面に沿って３３．８°のフリップアングルでフリップするように、スキャン部２が第５ＲＦパルスＲＦ５を被検体ＳＵに送信する。
【０１５０】
また、本実施形態においては、図１３に示すように、スキャン部２は、前述の第３ＲＦパルスＲＦ３として、１８０°のフリップアングルでスピンをフリップさせる２つのＲＦパルスＲＦ３１，ＲＦ３２を、第１の時間間隔τ１内であって、第１の時間間隔τ１の中心時点τｃ１を挟んで時間軸において対称になるように、被検体ＳＵに順次送信する。そして、前述の第４ＲＦパルスＲＦ４として、１８０°のフリップアングルでスピンをフリップさせる２つのＲＦパルスＲＦ４１，ＲＦ４２を、第２の時間間隔τ２内であって、第２の時間間隔τ２の中心時点τｃ２を挟んで時間軸において対称になるように、被検体ＳＵに順次送信する。
【０１５１】
そして、図１３に示すように、速度エンコード勾配パルスＧｖとして、第１の速度エンコード勾配パルスＧｖ１１ｒ，Ｇｖ１１ｗ，Ｇｖ１１ｓ，Ｇｖ１２ｒ，Ｇｖ１２ｗ，Ｇｖ１２ｓと、その第１の速度エンコード勾配パルスＧｖ１１ｒ，Ｇｖ１１ｗ，Ｇｖ１１ｓ，Ｇｖ１２ｒ，Ｇｖ１２ｗ，Ｇｖ１２ｓに対して時間軸において反対の極性である第２の速度エンコード勾配パルスＧｖ２１ｒ，Ｇｖ２１ｗ，Ｇｖ２１ｓ，Ｇｖ２２ｒ，Ｇｖ２２ｗ，Ｇｖ２２ｓとを、第３ＲＦパルスＲＦ３として送信される２つのＲＦパルスＲＦ３１，ＲＦ３２のそれぞれを送信する時間の中心時点ｔｒ３１，ｔｒ３２を挟んで、時間軸において対称になるように、順次、送信する。そして、第３の速度エンコード勾配パルスＧｖ３１ｒ，Ｇｖ３１ｗ，Ｇｖ３１ｓ，Ｇｖ３２ｒ，Ｇｖ３２ｗ，Ｇｖ３２ｓと、その第３の速度エンコード勾配パルスＧｖ３１ｒ，Ｇｖ３１ｗ，Ｇｖ３１ｓ，Ｇｖ３２ｒ，Ｇｖ３２ｗ，Ｇｖ３２ｓに対して時間軸において反対の極性である第４の速度エンコード勾配パルスＧｖ４１ｒ，Ｇｖ４１ｗ，Ｇｖ４１ｓ，Ｇｖ４２ｒ，Ｇｖ４２ｗ，Ｇｖ４２ｓとを、第４ＲＦパルスＲＦ４として送信される２つのＲＦパルスＲＦ４１，ＲＦ４２のそれぞれを送信する時間の中心時点ｔｒ４１，ｔｒ４２を挟んで時間軸において対称になるように、順次送信する。ここでは、スキャン部２は、スライス選択方向Ｇｓｌｉｃｅと、位相エンコード方向Ｇｗａｒｐと、周波数エンコード方向Ｇｒｅａｄとのそれぞれに、各速度エンコード勾配パルスを、各軸において相関が少なくなるように送信する。
【０１５２】
この他に、スキャン部２は、プリパレーションパルスとして、フリップアングルが−２２．５°であって位相がｘ方向である第６ＲＦパルスＲＦ６と第７ＲＦパルスＲＦ７とを送信する。ここでは、第３ＲＦパルスＲＦ３として順次送信される複数のＲＦパルスＲＦ３１，ＲＦ３２のうち、一対のＲＦパルスＲＦ３１，ＲＦ３２の間であって、当該一対のＲＦパルスＲＦ３１，ＲＦ３２を送信する時間の中心時点ｔｒ３に、第６ＲＦパルスＲＦ６を送信する時間の中心時点ｔｒ６が対応するように、第６ＲＦパルスＲＦ６を被検体ＳＵに送信する。そして、これと共に、第４ＲＦパルスＲＦ４として順次送信される複数のＲＦパルスＲＦ４１，ＲＦ４２のうち、一対のＲＦパルスＲＦ４１，ＲＦ４２の間であって、当該一対のＲＦパルスＲＦ４１，ＲＦ４２を送信する時間の中心時点ｔｒ４に、第７ＲＦパルスＲＦ７を送信する時間の中心時点ｔｒ７が対応するように、第７ＲＦパルスＲＦ７を被検体ＳＵに送信する。本実施形態においては、第３ＲＦパルスＲＦ３として複数のＲＦパルスＲＦ３１，ＲＦ３２を送信する時間の中心時点ｔｒ３に、第６ＲＦパルスＲＦ６を送信する時間の中心時点ｔｒ６が対応するように、被検体ＳＵに第６ＲＦパルスＲＦ６を送信し、スピンをｙｚ面に沿って−２２．５°のフリップアングルにフリップさせる。そして、同様に、第４ＲＦパルスＲＦ４として複数のＲＦパルスＲＦ４１，ＲＦ４２を送信する時間の中心時点ｔｒ４に、第７ＲＦパルスＲＦ７を送信する時間の中心時点ｔｒ７が対応するように、被検体ＳＵにこの第７ＲＦパルスＲＦ７を送信し、スピンをｙｚ面に沿って−２２．５°のフリップアングルにフリップさせる。
【０１５３】
このため、本実施形態においては、スライス選択方向と、位相エンコード方向と、周波数エンコード方向とに速度エンコード勾配パルスのそれぞれを送信するため、被検体ＳＵの３次元領域において、静止状態の部分と移動状態との部分との間にて高いコントラストの画像を得ることが、実施形態６と同様にできる。
【０１５４】
＜実施形態８＞
以下より、本発明にかかる実施形態８について説明する。
【０１５５】
図１４は、本発明にかかる実施形態８において、プリパレーションシーケンスＰＳを示すパルスシーケンス図である。
【０１５６】
図１４において、ＲＦは、ＲＦパルスを送信する時間軸であり、Ｇｖｅｎｃは、速度エンコード勾配パルスを送信する時間軸であり、Ｇｋｉｌｌは、キラーパルスを送信する時間軸を示しており、それぞれは、横軸が時間ｔであって、縦軸がパルス強度を示している。ここでは、ＧｖｅｎｃとＧｋｉｌｌとは、勾配パルスを送信する時間軸であって、スライス選択方向，位相エンコード方向，周波数エンコード方向の少なくとも１つの時間軸である。
【０１５７】
本実施形態は、被検体ＳＵを撮像する際に実施されるプリパレーションシーケンスＰＳが実施形態３（図９）と異なる。本実施形態は、いわゆるＭＬＥＶ（Ｍａｌｃｏｌｍ  Ｌｅｖｉｔｔ）法をベースとしたプリパレーションシーケンスであり、この点を除き、実施形態３と同様である。このため、重複する箇所については説明を省略する。
【０１５８】
本実施形態においては、図１４に示すように、スキャン部２は、第１ＲＦパルスＲＦ１と第２ＲＦパルスＲＦ２とを、フリップアングルが３０°であって、位相がｘ方向になるように送信する。つまり、スピンがｙｚ平面に沿って３０°のフリップアングルでフリップするように、スキャン部２が第１ＲＦパルスＲＦ１と第２ＲＦパルスＲＦ２とを被検体ＳＵに送信する。
【０１５９】
また、本実施形態においては、図１４に示すように、スキャン部２は、前述の第３ＲＦパルスＲＦ３として、フリップアングルが１８０°であって位相がｙ方向である２つのＲＦパルスＲＦ３１，ＲＦ３２を、第１の時間間隔τ１内であって、第１の時間間隔τ１の中心時点τｃ１を挟んで時間軸において対称になるように、被検体ＳＵに順次送信する。そして、前述の第４ＲＦパルスＲＦ４として、フリップアングルが−１８０°であって、位相がｙ方向である２つのＲＦパルスＲＦ４１，ＲＦ４２を、第２の時間間隔τ２内であって、第２の時間間隔τ２の中心時点τｃ２を挟んで時間軸において対称になるように、被検体ＳＵに順次送信する。
【０１６０】
そして、図１４に示すように、スキャン部２は、第３ＲＦパルスＲＦ３として送信される２つのＲＦパルスＲＦ３１，ＲＦ３２に時間軸において挟まれるように、速度エンコード勾配パルスＧｖとして、第１の速度エンコード勾配パルスＧｖ１を送信すると共に、第４ＲＦパルスＲＦ４として送信される２つのＲＦパルスＲＦ４１，ＲＦ４２に時間軸において挟まれるように、速度エンコード勾配パルスＧｖとして、第２の速度エンコード勾配パルスＧｖ２を送信する。ここでは、第１の速度エンコード勾配パルスＧｖ１と、第２の速度エンコード勾配パルスＧｖ２とを送信する時間の中心時点ｔｖに対して、第１の速度エンコード勾配パルスＧｖ１と、第２の速度エンコード勾配パルスＧｖ２とのそれぞれを送信する時間の中心時点ｔｖ１，ｔｖ２が、時間軸において対称に並ぶように、スキャン部２が送信する。
【０１６１】
その他に、図１４に示すように、スキャン部２は、プリパレーションパルスとして、フリップアングルが３０°であって位相がｘ方向の第５ＲＦパルスを送信する。つまり、スピンをｙｚ面に沿って３０°のフリップアングルでフリップさせるように、スキャン部２が第５ＲＦパルスＲＦ５を送信する。ここでは、第１の速度エンコード勾配パルスＧｖ１を送信した後および第２の速度エンコード勾配パルスＧｖ２を送信する前であって、第３ＲＦパルスＲＦ３としての２つのＲＦパルスＲＦ３１，ＲＦ３２を送信する時間の中心時点ｔｒ３と、第４ＲＦパルスＲＦ４としての２つのＲＦパルスＲＦ４１，ＲＦ４２を送信する時間の中心時点ｔｒ４との間の第３の時間間隔内τ３において、その第３の時間間隔τ３の中心時点τｃ３に当該第５ＲＦパルスＲＦ５を送信する時間の中心時点ｔｒ５が対応するように、スキャン部２が第５ＲＦパルスＲＦ５を被検体ＳＵに送信する。
【０１６２】
このため、本実施形態は、実施形態３と同様に、フリップアングルが１８０°，−１８０°である反転パルスによって静磁場不均一による影響がキャンセルされるため、画像品質を向上できる。
【０１６３】
＜実施形態９＞
以下より、本発明にかかる実施形態９について説明する。
【０１６４】
図１５は、本発明にかかる実施形態９において、プリパレーションシーケンスＰＳを示すパルスシーケンス図である。
【０１６５】
図１５において、ＲＦは、ＲＦパルスを送信する時間軸であり、Ｇｖｅｎｃは、速度エンコード勾配パルスを送信する時間軸であり、Ｇｋｉｌｌは、キラーパルスを送信する時間軸を示しており、それぞれは、横軸が時間ｔであって、縦軸がパルス強度を示している。ここでは、ＧｖｅｎｃとＧｋｉｌｌとは、勾配パルスを送信する時間軸であって、スライス選択方向，位相エンコード方向，周波数エンコード方向の少なくとも１つの時間軸である。
【０１６６】
本実施形態は、被検体ＳＵを撮像する際に実施されるプリパレーションシーケンスＰＳが実施形態８（図１４）と異なる。本実施形態は、いわゆるＣＰ（Ｃａｒｒ−Ｐｕｒｃｅｌｌ）法をベースにしたプリパレーションシーケンスであり、この点を除き、実施形態８と同様である。このため、重複する箇所については説明を省略する。
【０１６７】
本実施形態においては、図１５に示すように、スキャン部２は、実施形態８と同様に、前述の第３ＲＦパルスＲＦ３として、フリップアングルが１８０°であって位相がｘ方向である２つのＲＦパルスＲＦ３１，ＲＦ３２を、第１の時間間隔τ１内であって、第１の時間間隔τ１の中心時点τｃ１を挟んで時間軸において対称になるように、被検体ＳＵに順次送信する。一方、前述の第４ＲＦパルスＲＦ４としては、フリップアングルが１８０°であって、位相がｘ方向である２つのＲＦパルスＲＦ４１，ＲＦ４２を、第２の時間間隔τ２内であって、第２の時間間隔τ２の中心時点τｃ２を挟んで時間軸において対称になるように、被検体ＳＵに順次送信する。
【０１６８】
このため、本実施形態は、実施形態８と同様に、フリップアングルが１８０°である反転パルスによって静磁場不均一による影響がキャンセルされるため、画像品質を向上できる。
【０１６９】
＜実施形態１０＞
以下より、本発明にかかる実施形態１０について説明する。
【０１７０】
図１６は、本発明にかかる実施形態１０において、プリパレーションシーケンスＰＳを示すパルスシーケンス図である。
【０１７１】
図１６において、ＲＦは、ＲＦパルスを送信する時間軸であり、Ｇｘは、被検体ＳＵにおいてｘ方向に送信する勾配パルスの時間軸であり、Ｇｙは、被検体ＳＵにおいてｙ方向に送信する勾配パルスの時間軸であり、それぞれは、横軸が時間ｔであり、縦軸がパルス強度を示している。
【０１７２】
本実施形態は、被検体ＳＵを撮像する際に実施されるプリパレーションシーケンスＰＳが実施形態８（図１４）と異なる。本実施形態は、この点を除き、実施形態８と同様である。このため、重複する箇所については説明を省略する。
【０１７３】
本実施形態においては、図１６に示すように、スキャン部２は、実施形態８と同様に、前述の第３ＲＦパルスＲＦ３として、フリップアングルが１８０°であって位相がｙ方向である２つのＲＦパルスＲＦ３１，ＲＦ３２を、第１の時間間隔τ１内であって、第１の時間間隔τ１の中心時点τｃ１を挟んで時間軸において対称になるように、被検体ＳＵに順次送信する。
【０１７４】
一方、前述の第４ＲＦパルスＲＦ４としては、フリップアングルが１８０°であって、位相がｙ方向である２つのＲＦパルスＲＦ４１，ＲＦ４２を、第２の時間間隔τ２内であって、第２の時間間隔τ２の中心時点τｃ２を挟んで時間軸において対称になるように、被検体ＳＵに順次送信する。
【０１７５】
そして、図１６に示すように、スキャン部２は、第３ＲＦパルスＲＦ３として送信されるフリップアングルが１８０°の２つのＲＦパルスＲＦ３１，ＲＦ３２に時間軸において挟まれるように、速度エンコード勾配パルスＧｖとして、第１の速度エンコード勾配パルスＧｖ１ｘ，Ｇｖ１ｙをｘ方向とｙ方向とにそれぞれ送信する。そして、これらと共に、第４ＲＦパルスＲＦ４として送信されるフリップアングルが１８０°の２つのＲＦパルスＲＦ４１，ＲＦ４２に時間軸において挟まれるように、速度エンコード勾配パルスＧｖとして、第２の速度エンコード勾配パルスＧｖ２ｘ，Ｇｖ２ｙをｘ方向とｙ方向とにそれぞれ送信する。
【０１７６】
本実施形態においては、ｘ方向とｙ方向とに速度エンコード勾配パルスのそれぞれを送信するため、被検体ＳＵの２次元領域において、静止状態の部分と移動状態との部分との間にて高いコントラストの画像を得ることが、実施形態８と同様にできる。
【０１７７】
＜実施形態１１＞
以下より、本発明にかかる実施形態１１について説明する。
【０１７８】
図１７は、本発明にかかる実施形態１１において、プリパレーションシーケンスＰＳを示すパルスシーケンス図である。
【０１７９】
図１７において、ＲＦは、ＲＦパルスを送信する時間軸であり、Ｇｒｅａｄは、被検体ＳＵにおいて周波数エンコード方向に送信する勾配パルスの時間軸であり、Ｇｗａｒｐは、被検体ＳＵにおいて位相エンコード方向に送信する勾配パルスの時間軸であり、Ｇｓｌｉｃｅは、被検体ＳＵにおいてスライス選択方向に送信する勾配パルスの時間軸であり、それぞれは、横軸が時間ｔであり、縦軸がパルス強度を示している。
【０１８０】
本実施形態は、被検体ＳＵを撮像する際に実施されるプリパレーションシーケンスＰＳが実施形態３（図９）と異なる。本実施形態は、この点を除き、実施形態３と同様である。このため、重複する箇所については説明を省略する。
【０１８１】
本実施形態においては、図１７に示すように、スキャン部２は、第１ＲＦパルスＲＦ１と第２ＲＦパルスＲＦ２とを、フリップアングルが２２．５°であって、位相がｘ方向になるように送信する。つまり、スピンがｙｚ平面に沿って２２．５°のフリップアングルでフリップするように、スキャン部２が第１ＲＦパルスＲＦ１と第２ＲＦパルスＲＦ２とを被検体ＳＵに送信する。
【０１８２】
また、本実施形態においては、図１７に示すように、スキャン部２は、前述の第３ＲＦパルスＲＦ３として、１８０°のフリップアングルであって位相がｙ方向である３つのＲＦパルスＲＦ３１，ＲＦ３２，ＲＦ３３を、第１の時間間隔τ１内であって、第１の時間間隔τ１の中心時点τｃ１を挟んで時間軸において対称になるように、被検体ＳＵに順次送信する。
【０１８３】
また、前述の第４ＲＦパルスＲＦ４として、１８０°のフリップアングルであって位相がｙ方向である３つのＲＦパルスＲＦ４１，ＲＦ４２，ＲＦ４３を、第２の時間間隔τ２内であって、第２の時間間隔τ２の中心時点τｃ２を挟んで時間軸において対称になるように、被検体ＳＵに順次送信する。
【０１８４】
そして、図１７に示すように、スキャン部２は、速度エンコード勾配パルスＧｖとして、第１の速度エンコード勾配パルスＧｖ１ｒ，Ｇｖ１ｗ，Ｇｖ１ｓと、第２の速度エンコード勾配パルスＧｖ２ｒ，Ｇｖ２ｗ，Ｇｖ２ｓと、第３の速度エンコード勾配パルスＧｖ３ｒ，Ｇｖ３ｗ，Ｇｖ３ｓとを送信する。
【０１８５】
ここでは、第１の速度エンコード勾配パルスＧｖ１ｒ，Ｇｖ１ｗ，Ｇｖ１ｓと、第２の速度エンコード勾配パルスＧｖ２ｒ，Ｇｖ２ｗ，Ｇｖ２ｓと、第３の速度エンコード勾配パルスＧｖ３ｒ，Ｇｖ３ｗ，Ｇｖ３ｓとを送信する時間の中心時点ｔｖに対して、第１の速度エンコード勾配パルスＧｖ１ｒ，Ｇｖ１ｗ，Ｇｖ１ｓと、第２の速度エンコード勾配パルスＧｖ２ｒ，Ｇｖ２ｗ，Ｇｖ２ｓと、第３の速度エンコード勾配パルスＧｖ３ｒ，Ｇｖ３ｗ，Ｇｖ３ｓとのそれぞれを送信する時間の中心時点ｔｖ１，ｔｖ２，ｔｖ３が、時間軸において対称に並ぶように、スキャン部２が送信する。
【０１８６】
具体的には、第３ＲＦパルスＲＦ３として送信される３つのＲＦパルスＲＦ３１，ＲＦ３２，ＲＦ３３のうち、前の２つのＲＦパルスＲＦ３１，ＲＦ３２に時間軸において挟まれるように、第１の速度エンコード勾配パルスＧｖ１ｒ，Ｇｖ１ｗ，Ｇｖ１ｓを、周波数エンコード方向Ｇｒｅａｄと、位相エンコード方向Ｇｗａｒｐと、スライス選択方向Ｇｓｌｉｃｅとにそれぞれ送信する。また、３つのＲＦパルスＲＦ３１，ＲＦ３２，ＲＦ３３からなる第３ＲＦパルスＲＦ３と、３つのＲＦパルスＲＦ４１，ＲＦ４２，ＲＦ４３からなる第４ＲＦパルスＲＦ４に時間軸において挟まれるように、第２の速度エンコード勾配パルスＧｖ２ｒ，Ｇｖ２ｗ，Ｇｖ２ｓを、周波数エンコード方向Ｇｒｅａｄと、位相エンコード方向Ｇｗａｒｐと、スライス選択方向Ｇｓｌｉｃｅとにそれぞれ送信する。そして、第４ＲＦパルスＲＦ４として送信される３つのＲＦパルスＲＦ４１，ＲＦ４２，ＲＦ４３のうち、後の２つのＲＦパルスＲＦ４２，ＲＦ４３に時間軸において挟まれるように、第３の速度エンコード勾配パルスＧｖ３ｒ，Ｇｖ３ｗ，Ｇｖ３ｓを、周波数エンコード方向Ｇｒｅａｄと、位相エンコード方向Ｇｗａｒｐと、スライス選択方向Ｇｓｌｉｃｅとにそれぞれ送信する。ここでは、スキャン部２は、スライス選択方向Ｇｓｌｉｃｅと、位相エンコード方向Ｇｗａｒｐと、周波数エンコード方向Ｇｒｅａｄとのそれぞれに、各速度エンコード勾配パルスを、各軸において相関が少なくなるように送信する。
【０１８７】
この他に、スキャン部２は、プリパレーションパルスとして、フリップアングルが２２．５°であって位相がｘ方向である第６ＲＦパルスＲＦ６と第７ＲＦパルスＲＦ７とを送信する。
【０１８８】
ここでは、第１の速度エンコード勾配パルスＧｖ１ｒ，Ｇｖ１ｗ，Ｇｖ１ｓと、第２の速度エンコード勾配パルスＧｖ２ｒ，Ｇｖ２ｗ，Ｇｖ２ｓと、第３の速度エンコード勾配パルスＧｖ３ｒ，Ｇｖ３ｗ，Ｇｖ３ｓとを送信する時間の中心時点ｔｖに対して、第６ＲＦパルスＲＦ６と第７ＲＦパルスＲＦ７とのそれぞれを送信する時間の中心時点ｔｒ６，ｔｒ７が、時間軸において対称に並ぶように、スキャン部２が送信する。
【０１８９】
具体的には、第３ＲＦパルスＲＦ３として送信される３つのＲＦパルスＲＦ３１，ＲＦ３２，ＲＦ３３のうち、後の２つのＲＦパルスＲＦ３２，ＲＦ３３に時間軸において挟まれるように、第６ＲＦパルスＲＦ６を送信する。
【０１９０】
また、第４ＲＦパルスＲＦ４として送信される３つのＲＦパルスＲＦ４１，ＲＦ４２，ＲＦ４３のうち、前の２つのＲＦパルスＲＦ４１，ＲＦ４２に時間軸において挟まれるように、第７ＲＦパルスＲＦ７を送信する。
【０１９１】
このため、本実施形態においては、スライス選択方向と、位相エンコード方向と、周波数エンコード方向とに速度エンコード勾配パルスのそれぞれを送信するため、被検体ＳＵの３次元領域において、静止状態の部分と移動状態との部分との間にて高いコントラストの画像を得ることが、実施形態６と同様にできる。
【０１９２】
＜実施形態１２＞
以下より、本発明にかかる実施形態１２について説明する。
【０１９３】
図１８は、本発明にかかる実施形態１２において、プリパレーションシーケンスＰＳを示すパルスシーケンス図である。
【０１９４】
図１８において、ＲＦは、ＲＦパルスを送信する時間軸であり、Ｇｒｅａｄは、被検体ＳＵにおいて周波数エンコード方向に送信する勾配パルスの時間軸であり、Ｇｗａｒｐは、被検体ＳＵにおいて位相エンコード方向に送信する勾配パルスの時間軸であり、Ｇｓｌｉｃｅは、被検体ＳＵにおいてスライス選択方向に送信する勾配パルスの時間軸であり、それぞれは、横軸が時間ｔであり、縦軸がパルス強度を示している。
【０１９５】
本実施形態は、被検体ＳＵを撮像する際に実施されるプリパレーションシーケンスＰＳが実施形態３（図９）と異なる。本実施形態は、この点を除き、実施形態３と同様である。このため、重複する箇所については説明を省略する。
【０１９６】
本実施形態においては、図１８に示すように、スキャン部２は、第１ＲＦパルスＲＦ１と第２ＲＦパルスＲＦ２とを、フリップアングルが１１．２５°であって、位相がｘ方向になるように送信する。つまり、スピンがｙｚ平面に沿って１１．２５°のフリップアングルでフリップするように、スキャン部２が第１ＲＦパルスＲＦ１と第２ＲＦパルスＲＦ２とを被検体ＳＵに送信する。
【０１９７】
また、本実施形態においては、図１８に示すように、スキャン部２は、前述の第３ＲＦパルスＲＦ３として、１８０°のフリップアングルであって位相がｙ方向である４つのＲＦパルスＲＦ３１，ＲＦ３２，ＲＦ３３，ＲＦ３４を、第１の時間間隔τ１内であって、第１の時間間隔τ１の中心時点τｃ１を挟んで時間軸において対称になるように、被検体ＳＵに順次送信する。
【０１９８】
そして、前述の第４ＲＦパルスＲＦ４として、１８０°のフリップアングルであって位相がｙ方向である４つのＲＦパルスＲＦ４１，ＲＦ４２，ＲＦ４３，ＲＦ４４を、第２の時間間隔τ２内であって、第２の時間間隔τ２の中心時点τｃ２を挟んで時間軸において対称になるように、被検体ＳＵに順次送信する。
【０１９９】
そして、図１８に示すように、スキャン部２は、速度エンコード勾配パルスＧｖとして、第１の速度エンコード勾配パルスＧｖ１ｒ，Ｇｖ１ｓと、第２の速度エンコード勾配パルスＧｖ２ｗ，Ｇｖ２ｓと、第３の速度エンコード勾配パルスＧｖ３ｒ，Ｇｖ３ｓと、第４の速度エンコード勾配パルスＧｖ４ｗ，Ｇｖ４ｓとを送信する。
【０２００】
ここでは、第１の速度エンコード勾配パルスＧｖ１ｒ，Ｇｖ１ｓと、第２の速度エンコード勾配パルスＧｖ２ｗ，Ｇｖ２ｓと、第３の速度エンコード勾配パルスＧｖ３ｒ，Ｇｖ３ｓと、第４の速度エンコード勾配パルスＧｖ４ｗ，Ｇｖ４ｓとを送信する時間の中心時点ｔｖに対して、第１の速度エンコード勾配パルスＧｖ１ｒ，Ｇｖ１ｓと、第２の速度エンコード勾配パルスＧｖ２ｗ，Ｇｖ２ｓと、第３の速度エンコード勾配パルスＧｖ３ｒ，Ｇｖ３ｓと、第４の速度エンコード勾配パルスＧｖ４ｗ，Ｇｖ４ｓとのそれぞれを送信する時間の中心時点ｔｖ１，ｔｖ２，ｔｖ３が、時間軸において対称に並ぶように、スキャン部２が送信する。
【０２０１】
具体的には、第３ＲＦパルスＲＦ３として送信される４つのＲＦパルスＲＦ３１，ＲＦ３２，ＲＦ３３のうち、前の２つのＲＦパルスＲＦ３１，ＲＦ３２に時間軸において挟まれるように、第１の速度エンコード勾配パルスＧｖ１ｒ，Ｇｖ１ｓを、周波数エンコード方向Ｇｒｅａｄと、スライス選択方向Ｇｓｌｉｃｅとにそれぞれ送信する。そして、第３ＲＦパルスＲＦ３として送信される４つのＲＦパルスＲＦ３１，ＲＦ３２，ＲＦ３３のうち、後の２つのＲＦパルスＲＦ３３，ＲＦ３４に時間軸において挟まれるように、第２の速度エンコード勾配パルスＧｖ２ｗ，Ｇｖ２ｓを、位相エンコード方向Ｇｗａｒｐと、スライス選択方向Ｇｓｌｉｃｅとにそれぞれ送信する。
【０２０２】
また、第４ＲＦパルスＲＦ４として送信される４つのＲＦパルスＲＦ４１，ＲＦ４２，ＲＦ４３，Ｆ４４のうち、前の２つのＲＦパルスＲＦ４１，ＲＦ４２に時間軸において挟まれるように、第３の速度エンコード勾配パルスＧｖ３ｒ，Ｇｖ３ｓを、周波数エンコード方向Ｇｒｅａｄと、スライス選択方向Ｇｓｌｉｃｅとにそれぞれ送信する。そして、第４ＲＦパルスＲＦ４として送信される４つのＲＦパルスＲＦ４１，ＲＦ４２，ＲＦ４３，Ｆ４４のうち、後の２つのＲＦパルスＲＦ４３，ＲＦ４４に時間軸において挟まれるように、第４の速度エンコード勾配パルスＧｖ４ｗ，Ｇ４２ｓを、位相エンコード方向Ｇｗａｒｐと、スライス選択方向Ｇｓｌｉｃｅとにそれぞれ送信する。ここでは、スキャン部２は、スライス選択方向Ｇｓｌｉｃｅと、位相エンコード方向Ｇｗａｒｐと、周波数エンコード方向Ｇｒｅａｄとのそれぞれに、各速度エンコード勾配パルスを、各軸において相関が少なくなるように送信する。
【０２０３】
この他に、図１８に示すように、スキャン部２は、プリパレーションパルスとして、フリップアングルが２２．５°であって位相がｘ方向である第５ＲＦパルスＲＦ５と第６ＲＦパルスＲＦ６と第７ＲＦパルスＲＦ７とをそれぞれ送信する。
【０２０４】
ここでは、第１の速度エンコード勾配パルスＧｖ１ｒ，Ｇｖ１ｓと、第２の速度エンコード勾配パルスＧｖ２ｗ，Ｇｖ２ｓと、第３の速度エンコード勾配パルスＧｖ３ｒ，Ｇｖ３ｓと、第４の速度エンコード勾配パルスＧｖ４ｗ，Ｇｖ４ｓとを送信する時間の中心時点ｔｖを中心軸にして、第５ＲＦパルスＲＦ５と第６ＲＦパルスＲＦ６と第７ＲＦパルスＲＦ７とのそれぞれを送信する時間の中心時点ｔｒ５，ｔｒ６，ｔｒ７が、時間軸において互いが対称に順次並ぶように、スキャン部２が送信する。
【０２０５】
具体的には、第１の速度エンコード勾配パルスＧｖ１ｒ，Ｇｖ１ｓと、第２の速度エンコード勾配パルスＧｖ２ｗ，Ｇｖ２ｓと、第３の速度エンコード勾配パルスＧｖ３ｒ，Ｇｖ３ｓと、第４の速度エンコード勾配パルスＧｖ４ｗ，Ｇｖ４ｓとを送信する時間の中心時点ｔｖに、第５ＲＦパルスＲＦ５を送信する時間の中心時点ｔｒ５が対応するように、スキャン部２が第５ＲＦパルスＲＦ５を被検体ＳＵに送信する。
【０２０６】
また、第３ＲＦパルスＲＦ３として送信される４つのＲＦパルスＲＦ３１，ＲＦ３２，ＲＦ３３，Ｆ３４のうち、中央の２つのＲＦパルスＲＦ３２，ＲＦ３３に時間軸において挟まれるように、第６ＲＦパルスＲＦ６を送信する。
【０２０７】
そして、第４ＲＦパルスＲＦ４として送信される４つのＲＦパルスＲＦ４１，ＲＦ４２，ＲＦ４３，ＲＦ４４のうち、中央の２つのＲＦパルスＲＦ４２，ＲＦ４３に時間軸において挟まれるように、第７ＲＦパルスＲＦ７を送信する。
【０２０８】
このため、本実施形態においては、スライス選択方向と、位相エンコード方向と、周波数エンコード方向とに速度エンコード勾配パルスのそれぞれを送信するため、被検体ＳＵの３次元領域において、静止状態の部分と移動状態との部分との間にて高いコントラストの画像を得ることが、実施形態６と同様にできる。
【０２０９】
＜実施形態１３＞
以下より、本発明にかかる実施形態１３について説明する。
【０２１０】
図１９は、本発明にかかる実施形態１３において、プリパレーションシーケンスＰＳを示すパルスシーケンス図である。
【０２１１】
図１９において、ＲＦは、ＲＦパルスを送信する時間軸であり、Ｇｖｅｎｃは、速度エンコード勾配パルスを送信する時間軸であり、Ｇｋｉｌｌは、キラーパルスを送信する時間軸を示しており、それぞれは、横軸が時間ｔであって、縦軸がパルス強度を示している。ここでは、ＧｖｅｎｃとＧｋｉｌｌとは、勾配パルスを送信する時間軸であって、スライス選択方向，位相エンコード方向，周波数エンコード方向の少なくとも１つの時間軸である。
【０２１２】
本実施形態は、図１９に示すように、被検体ＳＵを撮像する際に実施されるプリパレーションシーケンスＰＳが実施形態３（図９）と異なる。本実施形態は、実施形態８と同様に、ＭＬＥＶ法をベースとしたプリパレーションシーケンスであり、この点を除き、実施形態３と同様である。このため、重複する箇所については説明を省略する。
【０２１３】
本実施形態においては、図１９に示すように、スキャン部２は、第１ＲＦパルスＲＦ１と第２ＲＦパルスＲＦ２とを、フリップアングルが４５°であって、位相がｘ方向になるように送信する。つまり、スピンがｙｚ平面に沿って４５°のフリップアングルでフリップするように、スキャン部２が第１ＲＦパルスＲＦ１と第２ＲＦパルスＲＦ２とを被検体ＳＵに送信する。
【０２１４】
また、本実施形態においては、図１９に示すように、スキャン部２は、前述の第３ＲＦパルスＲＦ３として、フリップアングルが１８０°であって位相がｙ方向である２つのＲＦパルスＲＦ３１，ＲＦ３２を、第１の時間間隔τ１内であって、第１の時間間隔τ１の中心時点τｃ１を挟んで時間軸において対称になるように、被検体ＳＵに順次送信する。そして、前述の第４ＲＦパルスＲＦ４として、フリップアングルが−１８０°であって、位相がｙ方向である２つのＲＦパルスＲＦ４１，ＲＦ４２を、第２の時間間隔τ２内であって、第２の時間間隔τ２の中心時点τｃ２を挟んで時間軸において対称になるように、被検体ＳＵに順次送信する。
【０２１５】
そして、図１９に示すように、スキャン部２は、第３ＲＦパルスＲＦ３である２つのＲＦパルスＲＦ３１，ＲＦ３２と、第４ＲＦパルスＲＦ４である２つのＲＦパルスＲＦ４１，ＲＦ４２とを被検体に送信した後であって、第２ＲＦパルスＲＦ２を送信する前に、速度エンコード勾配パルスＧｖを被検体に送信する。ここでは、第４ＲＦパルスＲＦ４と、第２ＲＦパルスＲＦ２とを送信する時間の中心時点と、速度エンコード勾配パルスＧｖを送信する時間の中心時点ｔｖとが互いに対応するように、バイポーラグラディエント勾配磁場を形成する速度エンコード勾配パルスＧｖをスキャン部２が送信する。
【０２１６】
このように、本実施形態は、実施形態３と同様に、フリップアングルが１８０°，−１８０°である反転パルスによって静磁場不均一（Ｂ０不均一）による影響がキャンセルされるため、画像品質を向上できる。また、本実施形態は、実施形態８の場合（ｃｆ．図１４）と異なり、第３ＲＦパルスＲＦ３と第４ＲＦパルスＲＦ４との間に、第５ＲＦパルスＲＦ５を送信しておらず、かつ、速度エンコード勾配パルスＧｖを、第４ＲＦパルスＲＦ４と第２ＲＦパルスＲＦ２との間にのみ送信しており、ＭＬＥＶ法相当の手法であって、ＣＰＭＧ法の手法を含む実施形態８と比較し、よりＭＬＥＶ法の効果を顕在化することができる。すなわち、本実施形態は、静磁場不均一性と、ＲＦ磁場不均一（Ｂ１不均一）との影響を排除することが容易にでき、ＭＬＥＶ法に期待されるような頑強さを発現させることが可能であるため、画像品質をさらに向上させることができる。実際にボランティア実験を実施した結果において、顕著な効果が得られ、特に、ＦＯＶが大きい場合においては、より均一に血液を表示できた。
【０２１７】
＜実施形態１４＞
以下より、本発明にかかる実施形態１４について説明する。
【０２１８】
図２０は、本発明にかかる実施形態１４において、プリパレーションシーケンスＰＳとイメージングシーケンスＩＳとを実施する様子を示す図である。図２０において、横軸は、時間軸ｔであり、（ａ）は、被検体の心拍信号の推移を示し、（ｂ）は、プリパレーションシーケンスＰＳとイメージングシーケンスＩＳとの実施のタイミングを、被検体の心拍信号に対応させて示している。
【０２１９】
本実施形態は、図２０に示すように、プリパレーションシーケンスＰＳとイメージングシーケンスＩＳとを実施するタイミングを特定している。この点を除き、実施形態１３と同様である。このため、重複する箇所については説明を省略する。
【０２２０】
本実施形態においては、図２０に示すように、スキャン部２は、被検体の心拍運動において心収縮期に対応するように、プリパレーションシーケンスＰＳを実施した後に、心拍運動において心拡張期に対応するように、イメージングシーケンスＩＳを実施する。
【０２２１】
具体的には、まず、心拍同期させたフェーズ・コントラスト法を用いて被検体にて流れる血液などの流体の流速を測定し、被検体の心拍運動における心収縮期と心拡張期とのタイミングを特定する。その後、その特定したタイミングに対応するように、図２０に示すように、プリパレーションシーケンスＰＳとイメージングシーケンスＩＳとのそれぞれを実施する。
【０２２２】
このように、本実施形態は、被検体の心拍運動において血流が強い状態である心収縮期にプリパレーションシーケンスＰＳを実施するために、血液と、その他の静止部分とを容易に区別することができる。また、血流が弱い状態である心拡張期にイメージングシーケンスＩＳを実施するために、イメージングした画像に体動アーチファクトなどが生ずることが抑制される。さらに、心拡張期では、流れが遅い時間が数１００ｍｓｅｃの長い時間であるために、イメージングデータを十分に取得することができる。したがって、本実施形態は、画像品質をさらに向上できる。
【０２２３】
なお、上記の実施形態の磁気共鳴イメージング装置１は、本発明の磁気共鳴イメージング装置に相当する。また、上記の実施形態のスキャン部２は、本発明のスキャン部に相当する。また、上記の実施形態の画像生成部３１は、本発明の画像生成部に相当する。また、上記の実施形態の表示部３３は、本発明の表示部に相当する。
【０２２４】
また、本発明の実施に際しては、上記した実施形態に限定されるものではなく、種々の変形例を採用することができる。
【０２２５】
たとえば、プリパレーションパルスとしてＲＦパルスを送信する際においては、上述したフリップアングルの数値に限定されない。また、この場合においては、スライス選択を実施してもよい。また、ＣＨＥＳＳ（Ｃｈｅｍｉｃａｌ  Ｓｈｉｆｔ  Ｓｅｌｅｃｔｉｖｅ）法やＳｐｅｃｔｒａｌ  ＩＲ法などの脂肪抑制法を組み合わせて用いても良い。また、最初のＲＦパルスと最後のＲＦパルスとの間の時間を調整することにより、Ｔ２コントラストを調整してもよい。
【０２２６】
また、上記の実施形態においては、周波数帯域が広く、静磁場不均一に対して効果的な矩形パルスを、ＲＦパルスとして送信する場合について説明しているが、これに限定されない。
【０２２７】
また、たとえば、プリパレーションパルスとして、速度エンコード勾配パルスを送信する際においては、任意の複数軸に送信してもよい。また、任意の面積で送信してもよい、その他に、任意の回数で送信してもよい。
【０２２８】
また、たとえば、イメージングシーケンスについては、ＳＳＦＰ法の他、ＦＳＥ（Ｆあｓｔ  Ｓｐｉｎ  Ｅｃｈｏ），ＳＥ（Ｓｐｉｎ  Ｅｃｈｏ），ＧＲＥ（Ｇｒａｄｉｅｎｔ  Ｒｅｃａｌｌｅｄ  Ｅｃｈｏ），ＳＰＧＲ（Ｓｐｏｉｌｅｄ  ＧＲＡＳＳ）など様々な手法で実施してもよい。
【０２２９】
また、たとえば、上記の実施形態においては、第１ＲＦパルスＲＦ１を送信する時間の中心時点ｔｒ１と速度エンコード勾配パルスＧｖを送信する時間の中心時点ｔｖとの間の第１の時間間隔τ１と、速度エンコード勾配パルスＧｖを送信する時間の中心時点ｔｖと第２ＲＦパルスＲＦ２を送信する時間の中心時点ｔｒ２との間の第２の時間間隔τ２とが同じになるように、スキャン部２が第１ＲＦパルスＲＦ１と速度エンコード勾配パルスＧｖと第２ＲＦパルスＲＦ２とを被検体ＳＵに順次送信しているが、これに限定されない。また、上記の実施形態においては、第１ＲＦパルスＲＦ１を送信する時間の中心時点ｔｒ１と速度エンコード勾配パルスＧｖを送信する時間の中心時点ｔｖとの間の第１の時間間隔τ１内であって、その第１の時間間隔τ１の中心時点τｃ１に、この第３ＲＦパルスＲＦ３を送信する時間の中心時点ｔｒ３が対応するように、スキャン部２が第３ＲＦパルスを被検体ＳＵに送信しているが、これに限定されない。また、上記の実施形態においては、速度エンコード勾配パルスＧｖを送信する時間の中心時点ｔｖと第２ＲＦパルスＲＦ２を送信する時間の中心時点ｔｒ２との間の第２の時間間隔τ２内であって、その第２の時間間隔τ２の中心時点τｃ２に、この第４ＲＦパルスＲＦ４を送信する時間の中心時点ｔｒ４が対応するように、スキャン部２が第４ＲＦパルスＲＦ４を被検体ＳＵに送信しているが、これに限定されない。上記のように各パルスを送信するタイミング以外においても、同様の効果を得ることができる。なお、上記のように各パルスを送信するタイミングを規定することにより、プリパレーションシーケンスの実施時間を短縮化することができるため、汎用性を向上させることができる。
【０２３０】
また、ＦＢＩ法のように、心拡張期と心収縮期とのそれぞれにおけるイメージング領域の画像を、上記のプリパレーションシーケンスＰＳとイメージングシーケンスＩＳとからなるスキャンを実施することによって生成し、それらの画像間の差分値に基づいて、そのイメージング領域に関するＭＲＡ画像を得ても良い。すなわち、ある特定流速の磁化の信号強度を変化させるように上記のプリパレーションシーケンスＰＳにてプリパレーションパルスを印加した後にイメージングシーケンスＩＳにてイメージングデータを収集することによって、第１の画像を生成すると共に、異なる特定流速の磁化の信号強度を変化させるように上記のプリパレーションシーケンスＰＳにてプリパレーションパルスを印加した後にイメージングシーケンスＩＳにてイメージングデータを収集することによって、第２の画像を生成する。その後、その第１の画像と第２の画像との間において差分処理することによってＭＲＡ画像を生成してもよい。また、この他に、ある特定流速の磁化の信号強度を変化させるように上記のプリパレーションシーケンスＰＳにてプリパレーションパルスを印加した後にイメージングシーケンスＩＳにてイメージングデータを収集することによって、第１の画像を生成すると共に、そのプリパレーションシーケンスＰＳを実施せずにイメージングシーケンスＩＳにてイメージングデータを収集することによって、第２の画像を生成した後に、その第１の画像と第２の画像との間において差分処理することによってＭＲＡ画像を生成してもよい。
【０２３１】
また、被検体の呼吸運動に同期させて上記のスキャンを実施する場合に、適用しても良い。ここでは、たとえば、呼気または吸気の状態に対して同期するようにスキャンを実施することが好適である。
【０２３２】
また、上記のプリパレーションシーケンスＰＳにおいて、特定流速の磁化の信号強度を維持し、それ以外の磁化の信号強度を減衰させる場合の他、特定流速の磁化の信号強度を減衰させ、それ以外の磁化の信号強度を維持させる場合についても、本発明を適用してもよい。
【図面の簡単な説明】
【０２３３】
【図１】図１は、本発明にかかる実施形態において、磁気共鳴イメージング装置１の構成を示す構成図である。
【図２】図２は、本発明にかかる実施形態１において、被検体ＳＵを撮像する際の動作を示すフロー図である。
【図３】図３は、本発明にかかる実施形態１において、プリパレーションシーケンスＰＳを示すパルスシーケンス図である。
【図４】図４は、本発明にかかる実施形態１において、プリパレーションシーケンスＰＳが実施された際に、被検体ＳＵのスピンの挙動を示すベクトル図である。
【図５】図５は、本発明にかかる実施形態１において、イメージングシーケンスＩＳを示すパルスシーケンス図である。
【図６】図６は、本発明にかかる実施形態２において、プリパレーションシーケンスＰＳを示すパルスシーケンス図である。
【図７】図７は、本発明にかかる実施形態１において、プリパレーションシーケンスＰＳが実施された際に、被検体ＳＵのスピンの挙動を示すベクトル図である。
【図８】図８は、本発明にかかる実施形態１において、プリパレーションシーケンスＰＳが実施された際に、被検体ＳＵのスピンの挙動を示すベクトル図であり、図７の次に示されるベクトル図である。
【図９】図９は、本発明にかかる実施形態３において、プリパレーションシーケンスＰＳを示すパルスシーケンス図である。
【図１０】図１０は、本発明にかかる実施形態４において、プリパレーションシーケンスＰＳを示すパルスシーケンス図である。
【図１１】図１１は、本発明にかかる実施形態５において、プリパレーションシーケンスＰＳを示すパルスシーケンス図である。
【図１２】図１２は、本発明にかかる実施形態６において、プリパレーションシーケンスＰＳを示すパルスシーケンス図である。
【図１３】図１３は、本発明にかかる実施形態７において、プリパレーションシーケンスＰＳを示すパルスシーケンス図である。
【図１４】図１４は、本発明にかかる実施形態８において、プリパレーションシーケンスＰＳを示すパルスシーケンス図である。
【図１５】図１５は、本発明にかかる実施形態９において、プリパレーションシーケンスＰＳを示すパルスシーケンス図である。
【図１６】図１６は、本発明にかかる実施形態１０において、プリパレーションシーケンスＰＳを示すパルスシーケンス図である。
【図１７】図１７は、本発明にかかる実施形態１１において、プリパレーションシーケンスＰＳを示すパルスシーケンス図である。
【図１８】図１８は、本発明にかかる実施形態１２において、プリパレーションシーケンスＰＳを示すパルスシーケンス図である。
【図１９】図１９は、本発明にかかる実施形態１３において、プリパレーションシーケンスＰＳを示すパルスシーケンス図である。
【図２０】図２０は、本発明にかかる実施形態１４において、プリパレーションシーケンスＰＳとイメージングシーケンスＩＳとを実施する様子を示す図である。
【符号の説明】
【０２３４】
１：磁気共鳴イメージング装置（磁気共鳴イメージング装置）、
２：スキャン部（スキャン部）、
３：操作コンソール部、
１２：静磁場マグネット部、
１３：勾配コイル部、
１４：ＲＦコイル部、
１５：クレードル、
２２：ＲＦ駆動部、
２３：勾配駆動部、
２４：データ収集部、
３０：制御部、
３１：画像生成部（画像生成部）、
３２：操作部、
３３：表示部（表示部）、
３４：記憶部、
Ｂ：撮像空間
【図１】
2007190362.tif 000005
【図２】
2007190362.tif 000006
【図３】
2007190362.tif 000007
【図４】
2007190362.tif 000008
【図５】
2007190362.tif 000009
【図６】
2007190362.tif 000010
【図７】
2007190362.tif 000011
【図８】
2007190362.tif 000012
【図９】
2007190362.tif 000013
【図１０】
2007190362.tif 000014
【図１１】
2007190362.tif 000015
【図１２】
2007190362.tif 000016
【図１３】
2007190362.tif 000017
【図１４】
2007190362.tif 000018
【図１５】
2007190362.tif 000019
【図１６】
2007190362.tif 000020
【図１７】
2007190362.tif 000021
【図１８】
2007190362.tif 000022
【図１９】
2007190362.tif 000023
【図２０】
2007190362.tif 000024